(57)【要約】【課題】受信品質の劣化を抑制できる光伝送システム等を提供する。【解決手段】光伝送システムは、送信器と、第１の波長変換器と、第２の波長変換器と、受信器と、制御装置とを有する。送信器は、送信光を送信する。第１の波長変換器は、第１の励起光を用いて、前記送信光である第１の信号光を異なる波長帯域の第２の信号光に波長変換する。第２の波長変換器は、第２の励起光を用いて、前記第２の信号光を異なる波長帯域の第３の信号光に波長変換する。受信器は、局発光を用いて、前記第３の信号光を受信光として受信する。制御装置は、前記送信光の波長、前記第１の励起光の波長及び前記第２の励起光の波長を取得し、前記送信光の波長、前記第１の励起光の波長及び前記第２の励起光の波長により求めた前記受信器の受信光の波長に基づいて、前記受信器の局発光の波長を決定する。【選択図】図１
2019220773.tif 000002
【特許請求の範囲】
【請求項１】
送信光を送信する送信器と、
第１の励起光を用いて、前記送信光である第１の信号光を異なる波長帯域の第２の信号光に波長変換する第１の波長変換器と、
第２の励起光を用いて、前記第２の信号光を異なる波長帯域の第３の信号光に波長変換する第２の波長変換器と、
局発光を用いて、前記第３の信号光を受信光として受信する受信器と、
前記送信光の波長、前記第１の励起光の波長及び前記第２の励起光の波長を取得し、前記送信光の波長、前記第１の励起光の波長及び前記第２の励起光の波長により求めた前記受信器の受信光の波長に基づいて、前記受信器の局発光の波長を決定する制御装置と
を有することを特徴とする光伝送システム。
【請求項２】
前記送信器と前記受信器との間に当該受信器が受信する前記受信光の波長を透過する透過部を有し、
前記制御装置は、
前記受信器の前記受信光の波長と前記透過部の透過波長との差分が小さくなるように、前記受信光の波長を前記透過部に通知することを特徴とする請求項１に記載の光伝送システム。
【請求項３】
前記制御装置は、
前記第１の励起光の波長と前記第２の励起光の波長との間の差分量を算出し、前記差分量に基づき、前記受信光の波長と前記局発光の波長との差分が小さくなるように前記送信光の波長をシフトさせるべく、前記差分量を前記送信器に通知することを特徴とする請求項１に記載の光伝送システム。
【請求項４】
前記制御装置は、
前記第１の励起光の波長と前記第２の励起光の波長との間の差分量を算出し、前記差分量に基づき、前記受信光の波長と前記局発光の波長との差分が小さくなるように、前記差分量を前記受信器及び前記送信器に通知することを特徴とする請求項１に記載の光伝送システム。
【請求項５】
前記送信器は、
前記差分量を受信した場合に、当該差分量に基づき、前記送信光の波長をシフトすると共に、
前記受信器は、
前記差分量を受信した場合に、当該差分量に基づき、前記受信器の局発光の波長をシフトすることを特徴とする請求項４に記載の光伝送システム。
【請求項６】
前記第１の波長変換器及び前記第２の波長変換器は、
縮退型四光波混合方式の波長変換器であることを特徴とする請求項１に記載の光伝送システム。
【請求項７】
前記第１の波長変換器は、
非縮退型四光波混合方式の波長変換器であって、前記第１の励起光内の第３の励起光及び第４の励起光を用いて、前記送信器からの前記第１の信号光を前記第２の信号光に波長変換し、
前記第２の波長変換器は、
非縮退型四光波混合方式の波長変換器であって、前記第２の励起光内の第５の励起光及び第６の励起光を用いて、前記第１の波長変換器からの第２の信号光を前記第３の信号光に波長変換し、
前記制御装置は、
前記第３の励起光の波長と前記第４の励起光の波長との間の差分である第１の差分量と、前記第５の励起光の波長と前記第６の励起光の波長との間の差分である第２の差分量と、前記送信器の送信光の波長とに基づき、前記受信器の前記受信光の波長を算出する
ことを特徴とする請求項１に記載の光伝送システム。
【請求項８】
前記制御装置は、
前記送信光の波長、前記第１の励起光の波長の差分量及び、前記第２の励起光の波長の差分量に基づき、前記受信光の波長を算出することを特徴とする請求項１に記載の光伝送システム。
【請求項９】
前記制御装置は、
前記第１の励起光の波長と、前記第２の励起光の波長との差分が小さくなるように、前記第２の励起光の波長を制御することを特徴とする請求項１に記載の光伝送システム。
【請求項１０】
送信器からの送信光の波長と、第１の励起光を用いて、前記送信光である第１の信号光を異なる波長帯域の第２の信号光に波長変換する第１の波長変換器からの前記第１の励起光の波長と、第２の励起光を用いて、前記第２の信号光を異なる波長帯域の第３の信号光に波長変換する第２の波長変換器からの前記第２の励起光の波長とを取得し、前記送信光の波長、前記第１の励起光の波長及び前記第２の励起光の波長により求めた受信器の受信光の波長に基づいて、前記第３の信号光を受信光として受信する前記受信器の局発光を決定する
ことを特徴とする制御装置。
【請求項１１】
送信光を送信する送信器と、
第１の励起光を用いて、前記送信光である第１の信号光を異なる波長帯域の第２の信号光に波長変換する第１の波長変換器と、
第２の励起光を用いて、前記第２の信号光を異なる波長帯域の第３の信号光に波長変換する第２の波長変換器と、
局発光を用いて、前記第３の信号光を受信光として受信する受信器とを有する光伝送システムの光伝送方法であって、
前記送信光の波長、前記第１の励起光の波長及び前記第２の励起光の波長を取得し、
前記送信光の波長、前記第１の励起光の波長及び前記第２の励起光の波長により求めた前記受信器の受信光の波長に基づいて、前記受信器の局発光を決定する
処理を実行することを特徴とする光伝送方法。
【請求項１２】
送信器からの送信光の波長と、第１の励起光を用いて、前記送信器からの送信光である第１の信号光を異なる波長帯域の第２の信号光に波長変換する第１の波長変換器からの前記第１の励起光の波長と、第２の励起光を用いて、前記第２の信号光を異なる波長帯域の第３の信号光に波長変換する第２の波長変換器からの前記第２の励起光の波長とを取得し、前記送信光の波長、前記第１の励起光の波長及び前記第２の励起光の波長により求めた前記受信光の波長に基づいて、前記第３の信号光を受信光として受信する局発光の波長を決定する
ことを特徴とする伝送装置。
【発明の詳細な説明】
【技術分野】
【０００１】
本発明は、光伝送システム、制御装置、光伝送方法及び伝送装置に関する。
【背景技術】
【０００２】
近年、通信需要の拡大に伴って、例えば、光ファイバ芯数の増加、１波長当たりの光信号容量の増加や、波長分割多重（ＷＤＭ：Wavelength  Division  Multiplexing）チャネル数の増加等で伝送容量を拡大する方法が模索されている。しかしながら、光ファイバの敷設コスト等が高いため、光ファイバ芯数を増やさず、主に光信号容量の増加やＷＤＭチャネル数の増加で伝送容量の拡大を図ろうとしている。
【０００３】
このような光伝送システムでは、受信する側の伝送装置において、デジタルコヒーレント方式の光受信器が使用される。このような受信器では、局発光を用いて、受信光から信号光を光復調することになる。局発光は、通常、ＩＴＵＴ（International  Telecommunication  Standardization  Sector）で定められたチャネルグリッドに一致する波長に出力される。局発光の波長は、受信光の波長と同一の波長であることが望ましいが、実際の装置では僅かな波長差が存在する。この波長差により生じる受信品質の劣化に対しては、受信器内のＤＳＰ（Digital  Signal  Processor）により、電気的に補正処理を行い、必要な伝送性能を確保することが行われている。
【０００４】
近年、更なる伝送容量の拡大を図るために、光信号の波長帯域を、Ｃ帯のみでなく、例えば、Ｌ帯(Long  Band)やＳ帯(Short  Band)等の波長帯域を利用する技術が提案されている。このような複数の波長帯域を使用したマルチバンドのＷＤＭシステムでは、例えば、光信号の波長を異なる波長へ変換させることが可能な波長変換器を使用して、Ｃ帯の多重光をＬ帯やＳ帯の多重光に波長変換することで大容量伝送が可能となる。
【先行技術文献】
【特許文献】
【０００５】
【特許文献１】特開２０００−７５３３０号公報
【特許文献２】特開２００４−３４８１５８号公報
【特許文献３】国際公開第２０１２／１５３８５６号
【発明の概要】
【発明が解決しようとする課題】
【０００６】
波長変換器では、受信した信号光の波長を異なる波長へ変換する際に、例えば、環境温度の変化や光ファイバの特性バラツキ等の種々の要因により、ターゲットとした変換波長とは異なる波長に変換されるケースが起こり得る。このような波長ズレにより、受信器で受信する受信光の波長が、局発光の波長と大きく異なってくる場合がある。特に、受信光の波長が、対応する局発光の隣のチャネルグリッドを超えてしまうような場合、受信器側で受信した受信光を電気的に補正するのが困難となり、受信光の受信が困難となる。
【０００７】
一つの側面では、受信器側で受信する受信光の品質の劣化を抑制できる光伝送システム等を提供することを目的とする。
【課題を解決するための手段】
【０００８】
一つの態様の光伝送システムは、送信器と、第１の波長変換器と、第２の波長変換器と、受信器と、制御装置とを有する。送信器は、送信光を送信する。第１の波長変換器は、第１の励起光を用いて、前記送信光である第１の信号光を異なる波長帯域の第２の信号光に波長変換する。第２の波長変換器は、第２の励起光を用いて、前記第２の信号光を異なる波長帯域の第３の信号光に波長変換する。受信器は、局発光を用いて、前記第３の信号光を受信光として受信する。制御装置は、前記送信光の波長、前記第１の励起光の波長及び前記第２の励起光の波長を取得し、前記送信光の波長、前記第１の励起光の波長及び前記第２の励起光の波長により求めた前記受信器の受信光の波長に基づいて、前記受信器の局発光の波長を決定する。
【発明の効果】
【０００９】
一つの態様では、受信器側で受信する信号光の受信品質の劣化を抑制できる。
【図面の簡単な説明】
【００１０】
【図１】図１は、実施例１のＷＤＭシステムの一例を示す説明図である。
【図２】図２は、送信器の一例を示す説明図である。
【図３】図３は、受信器の一例を示す説明図である。
【図４】図４は、波長変換器の一例を示す説明図である。
【図５Ａ】図５Ａは、第１の波長変換器の零分散波長テーブルの一例を示す説明図である。
【図５Ｂ】図５Ｂは、第２の波長変換器の零分散波長テーブルの一例を示す説明図である。
【図６】図６は、ＳＤＮコントローラの一例を示す説明図である。
【図７】図７は、受信光波長に局発光波長をシフトする際の処理動作の一例を示す説明図である。
【図８】図８は、第１の設定処理に関わるＳＤＮコントローラ内のＣＰＵの処理動作の一例を示すフロー図である。
【図９】図９は、実施例２のＷＤＭシステムの一例を示す説明図である。
【図１０】図１０は、第２の設定処理に関わるＳＤＮコントローラ内のＣＰＵの処理動作の一例を示すフロー図である。
【図１１】図１１は、実施例３のＷＤＭシステムの一例を示す説明図である。
【図１２】図１２は、第２のＷＳＳのシフト前後の透過波長の一例を示す説明図である。
【図１３】図１３は、第３の設定処理に関わるＳＤＮコントローラ内のＣＰＵの処理動作の一例を示すフロー図である。
【図１４】図１４は、実施例４のＷＤＭシステムの一例を示す説明図である。
【図１５】図１５は、第４の設定処理に関わるＳＤＮコントローラ内のＣＰＵの処理動作の一例を示すフロー図である。
【図１６】図１６は、実施例５のＷＤＭシステムの一例を示す説明図である。
【図１７】図１７は、第５の設定処理に関わるＳＤＮコントローラ内のＣＰＵの処理動作の一例を示すフロー図である。
【図１８】図１８は、実施例６のＷＤＭシステムの一例を示す説明図である。
【図１９】図１９は、実施例７のＷＤＭシステムの一例を示す説明図である。
【図２０】図２０は、実施例８のＷＤＭシステムの一例を示す説明図である。
【図２１】図２１は、実施例９のＷＤＭシステムの一例を示す説明図である。
【図２２】図２２は、実施例１０のＷＤＭシステムの一例を示す説明図である。
【図２３】図２３は、非縮退型四光波混合方式の波長変換器の一例を示す説明図である。
【図２４】図２４は、信号光と変換光との関係の一例を示す説明図である。
【図２５】図２５は、非線形ファイバの零分散周波数が設定環境に応じた零分散周波数と一致した場合の信号光と変換光との関係の一例を示す説明図である。
【図２６】図２６は、非線形ファイバの零分散周波数が設定環境に応じた零分散周波数よりも低周波数側にシフトした場合の信号光と変換光との関係の一例を示す説明図である。
【図２７】図２７は、非線形ファイバの零分散周波数が設定環境に応じた零分散周波数よりも高周波数側にシフトした場合の信号光と変換光との関係の一例を示す説明図である。
【図２８】図２８は、非線形ファイバの零分散周波数をシフト補正した場合の信号光と変換光との関係の一例を示す説明図である。
【図２９】図２９は、実施例１１のＷＤＭシステムの一例を示す説明図である。
【図３０】図３０は、第６の設定処理に関わるＳＤＮコントローラ内のＣＰＵの処理動作の一例を示すフロー図である。
【図３１】図３１は、縮退型四光波混合方式の波長変換器の一例を示す説明図である。
【図３２】図３２、非線形ファイバの零分散波長と励起光波長とが一致した場合の信号光と変換光との関係の一例を示す説明図である。
【図３３】図３３は、非線形ファイバの零分散波長と励起光波長とが不一致の場合の信号光と変換光との関係の一例を示す説明図である。
【図３４】図３４は、励起光波長シフト後の信号光と変換光との関係の一例を示す説明図である。
【発明を実施するための形態】
【００１１】
以下、図面に基づいて、本願の開示する光伝送システム、制御装置、光伝送方法及び伝送装置の実施例を詳細に説明する。尚、各実施例により、開示技術が限定されるものではない。また、以下に示す各実施例は、矛盾を起こさない範囲で適宜組み合わせても良い。
【実施例１】
【００１２】
図１は、実施例１のＷＤＭシステム１の一例を示す説明図である。図１に示すＷＤＭ(Wavelength  Division  Multiplexing)システム１は、第１の伝送装置２Ａと、第２の伝送装置２Ｂと、第１の伝送装置２Ａと第２の伝送装置２Ｂとの間を接続する伝送路ファイバ３と、ＳＤＮ(Software  Defined  Network)コントローラ４とを有する。ＷＤＭシステム１は、異なる波長帯域、例えば、Ｃ帯及びＬ帯の多重光を伝送するマルチバンドシステムである。ＳＤＮコントローラ４は、ＷＤＭシステム１を管理して制御する制御装置である。
【００１３】
第１の伝送装置２Ａは、第１の送信群１０Ａと、第２の送信群１０Ｂと、第１の波長変換器２０Ａ（２０）と、波長合波器３０とを有する。第１の送信群１０Ａは、複数のＣ帯の送信器１１と、光合波器１２と、光増幅器１３とを有する。送信器１１は、異なるＣ帯波長の信号光を光合波器１２に出力する。光合波器１２は、各送信器１１からの信号光を合波してＣ帯の第１の多重光を光増幅器１３に出力する。尚、光増幅器１３は、例えば、ＥＤＦＡ（Erbium  Doped  optical  Fiber  Amplifier）とする。光増幅器１３は、第１の多重光を光増幅し、光増幅後のＣ帯の第１の多重光を波長合波器３０に出力する。
【００１４】
第２の送信群１０Ｂは、複数のＣ帯の送信器１１と、光合波器１２と、光増幅器１３とを有する。送信器１１は、異なるＣ帯波長の信号光を光合波器１２に出力する。光合波器１２は、各送信器１１からの信号光を合波してＣ帯の第１の多重光を光増幅器１３に出力する。光増幅器１３は、第１の多重光を光増幅し、増幅後のＣ帯の第１の多重光を第１の波長変換器２０Ａに出力する。尚、第１の送信群１０Ａ及び第２の送信群１０Ｂは、光増幅器１３を内蔵したが、光合波器１２からの第１の多重光が十分なパワーが得られる場合にはなくても良く、適宜設定変更可能である。
【００１５】
第１の波長変換器２０Ａは、第２の送信群１０ＢからのＣ帯の第１の多重光を第１の励起光を用いてＬ帯の第２の多重光に波長変換する縮退型四光波混合方式の波長変換器である。第１の波長変換器２０Ａは、波長変換後のＬ帯の第２の多重光を波長合波器３０に出力する。波長合波器３０は、第１の送信群１０ＡからのＣ帯の第１の多重光と、第１の波長変換器２０ＡからのＬ帯の第２の多重光とを合波し、第１の多重光及び第２の多重光を伝送路ファイバ３に出力する。
【００１６】
第２の伝送装置２Ｂは、波長分波器４０と、第２の波長変換器２０Ｂ（２０）と、第１の受信群５０Ａと、第２の受信群５０Ｂとを有する。波長分波器４０は、伝送路ファイバ３から受信した多重光からＣ帯の第１の多重光及びＬ帯の第２の多重光に分波し、第１の多重光を第１の受信群５０Ａに出力すると共に、第２の多重光を第２の波長変換器２０Ｂに出力する。第１の受信群５０Ａは、光増幅器５１と、光分波器５２と、複数の受信器５３とを有する。光増幅器５１は、波長分波器４０からの第１の多重光を光増幅し、光増幅後の第１の多重光を光分波器５２に出力する。尚、光増幅器５１は、例えば、ＥＤＦＡ（Erbium  Doped  optical  Fiber  Amplifier）とする。光分波器５２は、第１の多重光内の全波長のＣ帯の信号光を各受信器５３に出力する。各受信器５３は、光分波器５２からの第１の多重光内の全波長のＣ帯の信号光から、自分宛の波長の局発光を用いて、自分宛の受信光を受信する。
【００１７】
第２の波長変換器２０Ｂは、第２の励起光を用いて、波長分波器４０からのＬ帯の第２の多重光をＣ帯の第１の多重光に波長変換し、波長変換後のＣ帯の第１の多重光を第２の受信群５０Ｂに出力する。第２の受信群５０Ｂは、光増幅器５１と、光分波器５２と、複数の受信器５３とを有する。光増幅器５１は、第２の波長変換器２０Ｂからの波長変換後の第１の多重光を光増幅し、光増幅後の第１の多重光を光分波器５２に出力する。光分波器５２は、第１の多重光内の全波長のＣ帯の信号光を各受信器５３に出力する。各受信器５３は、光分波器５２からの第１の多重光内の全波長のＣ帯の信号光から、自分宛の波長の局発光を用いて、自分宛の受信光を受信する。尚、第１の送信群１０Ａ内の送信器１１は、送信器１１毎に任意のＣ帯の波長を使用して第１の受信群５０Ａ内の複数の受信器５３の内、送信器１１に対応した受信器５３と通信する。同様に、第２の送信群１０Ｂ内の送信器１１も、送信器１１毎に任意のＣ帯の波長を使用して第２の受信群５０Ｂ内の複数の受信器５３の内、送信器１１に対応した受信器５３と通信する。例えば、第２の送信群１０Ｂ内の送信器１１１と第２の受信群５０Ｂ内の受信器５３１とが同一波長Ｃ１の信号光を使用し、送信器１１２と受信器５３２とが同一波長Ｃ２の信号光を使用して通信するものとする。つまり、送信器１１と受信器５３とが同一波長を使用した通信ペアの関係となる。
【００１８】
図２は、送信器１１の一例を示す説明図である。図２に示す送信器１１は、デジタルコヒーレント方式の光送信器である。送信器１１は、信号光源１１Ａと、変調部１１Ｂと、情報通信部１１Ｃと、送信側ＣＰＵ（Central  Processing  Unit）１１Ｄと、送信回路１１Ｅとを有する。信号光源１１Ａは、Ｃ帯の信号光を発光するＬＤ（Laser  Diode）である。送信回路１１Ｅは、クライアント信号に対して送信処理を実行する回路である。変調部１１Ｂは、Ｃ帯の信号光でクライン信号を光変調し、光変調後のクライアント信号である信号光を光合波器１２に出力する。情報通信部１１Ｃは、例えば、ＳＤＮコントローラ４との間で制御情報を通信する通信部である。送信側ＣＰＵ１１Ｄは、送信器１１全体を制御する。
【００１９】
図３は、受信器５３の一例を示す説明図である。図３に示す受信器５３は、デジタルコヒーレント方式の光受信器である。受信器５３は、局発光源５３Ａと、復調部５３Ｂと、情報通信部５３Ｃと、受信側ＣＰＵ５３Ｄと、受信回路５３Ｅとを有する。局発光源５３Ａは、局発光を発光するＬＤである。復調部５３Ｂは、局発光を用いて、受信光から信号光を光復調する。受信回路５３Ｅは、光復調後の信号光からクライアント信号を抽出する受信処理を実行する回路である。情報通信部５３Ｃは、例えば、ＳＤＮコントローラ４との間で制御情報を通信する通信部である。受信側ＣＰＵ５３Ｄは、受信器５３全体を制御する。
【００２０】
図４は、波長変換器２０の一例を示す説明図である。図４に示す波長変換器２０は、縮退型四光波混合方式の波長変換器である。波長変換器２０は、励起光源２１と、非線形ファイバ等の光部品２２と、零分散波長テーブル２３と、情報通信部２４と、変換側ＣＰＵ２５とを有する。励起光源２１は、励起光を発光するＬＤである。光部品２２は、励起光を用いて、第１の信号光を異なる波長帯域の第２の信号光に波長変換する際に使用する、例えば、ＷＤＭカプラ、光サーキュレータ、非線形ファイバ及び光ＢＰＦ等の光部品である。尚、第１の信号光は、例えば、波長変換前のＣ帯の信号光、第２の信号光は、例えば、波長変換後のＬ帯の信号光である。零分散波長テーブル２３は、内部温度毎に非線形ファイバの零分散波長を管理するテーブルである。情報通信部２４は、ＳＤＮコントローラ４との間で制御情報を通信する通信部である。変換側ＣＰＵ２５は、波長変換器２０全体を制御する。
【００２１】
図５Ａは、第１の波長変換器２０Ａの零分散波長テーブル２３の一例を示す説明図である。第１の波長変換器２０Ａ内の変換側ＣＰＵ２５は、第１の波長変換器２０Ａ内の内部温度を測定し、内部温度に応じた零分散波長を零分散波長テーブル２３から抽出する。更に、変換側ＣＰＵ２５は、抽出した零分散波長に一致するように励起光を調整すべく、励起光源２１を制御する。図５Ｂは、第２の波長変換器２０Ｂの零分散波長テーブル２３の一例を示す説明図である。第２の波長変換器２０Ｂ内の変換側ＣＰＵ２５は、第２の波長変換器２０Ｂ内の内部温度を測定し、内部温度に応じた零分散波長を零分散波長テーブル２３から抽出する。更に、変換側ＣＰＵ２５は、抽出した零分散波長に応じて励起光を調整すべく、励起光源２１を制御する。
【００２２】
図６は、ＳＤＮコントローラ４の一例を示すブロック図である。ＳＤＮコントローラ４は、情報通信部４Ａと、記憶部４Ｂと、ＣＰＵ４Ｃとを有する。情報通信部４Ａは、送信器１１と、第１の波長変換器２０Ａと、第２の波長変換器２０Ｂと、受信器５３との間で波長情報等の制御情報を通信する。記憶部４Ｂは、プログラム等の各種情報を記憶する。ＣＰＵ４Ｃは、記憶部４Ｂに格納されたプログラムを実行することで、機能として、取得部３１と、算出部３２と、通知部３３とを有する。取得部３１は、情報通信部４Ａを通じて第２の送信群１０Ｂ内の各送信器１１、第１の波長変換器２０Ａ及び第２の波長変換器２０Ｂから各種情報を取得する。取得部３１は、情報通信部４Ａを通じて、第２の送信群１０Ｂ内の各送信器１１から送信光波長λｓ１を取得する。尚、送信光波長λｓ１は、第２の送信群１０Ｂ内の送信器１１毎に異なる信号光の波長である。取得部３１は、情報通信部４Ａを通じて、第１の波長変換器２０Ａから第１の励起光波長λｐ１を取得する。尚、第１の励起光波長λｐ１は、第１の波長変換器２０Ａの第１の励起光の波長である。取得部３１は、情報通信部４Ａを通じて、第２の波長変換器２０Ｂから第２の励起光波長λｐ２を取得する。尚、第２の励起光波長λｐ２は、第２の波長変換器２０Ｂの第２の励起光の波長である。第１の励起光波長λｐ１及び第２の励起光波長λｐ２は同一波長である。算出部３２は、送信光波長λｓ１、第１の励起光波長λｐ１及び第２の励起光波長λｐ２に基づき、送信器１１に対応する受信器５３で受信する受信光波長λｓ２を算出する。尚、受信器５３は、第２の受信群５０Ｂ内の複数の受信器５３の内、第２の送信群１０Ｂ内の送信器１１の送信光波長λｓ１を使用する受信器である。
【００２３】
算出部３２は、２（λｐ２-λｐ１）＋λｓ１の数式で、受信器５３毎の受信光波長λｓ２を算出する。通知部３３は、受信器５３毎の受信光波長λｓ２を算出した場合、情報通信部４Ａを通じて、受信光波長λｓ２を該当受信器５３に通知する。尚。ＣＰＵ４Ｃは、受信器５３毎の受信光波長λｓ２を算出し、受信器５３毎の受信光波長λｓ２から受信器５３毎の局発光波長を決定しても良く、その受信器５３毎の局発光波長を受信器５３に通知しても良い。受信器５３内の受信側ＣＰＵ５３Ｄは、受信した受信光波長λｓ２を局発光波長として局発光源５３Ａに設定する。その結果、受信器５３は、受信光波長λｓ２の局発光を使用するため、対応する送信器１１からの信号光を受信できる。
【００２４】
尚、算出部３２は、第１の送信群１０Ａと第１の受信群５０Ａとの間で第１の波長変換器２０Ａ及び第２の波長変換器２０Ｂを使用しないため、第１の受信群５０Ａ内の各受信器５３の受信光波長λｓ２を算出しない。これに対して、算出部３２は、第２の送信群１０Ｂと第２の受信群５０Ｂとの間で第１の波長変換器２０Ａ及び第２の波長変換器２０Ｂを使用しているため、第２の受信群５０Ｂ内の各受信器５３の受信光波長λｓ２を算出する。例えば、算出部３２は、送信器１１１の“Ｃ１”の送信光波長λｓ１と、第１の励起光波長λｐ１及び第２の励起光波長λｐ２とに基づき、受信器５３１への受信光波長λｓ２を算出する。また、算出部３２は、送信器１１２の“Ｃ２”の送信光波長λｓ１と、第１の励起光波長λｐ１及び第２の励起光波長λｐ２とに基づき、受信器５３２の受信光波長λｓ２を算出する。
【００２５】
図７は、受信光波長に局発光波長をシフトする際の処理動作の一例を示す説明図である。受信器５３内の受信側ＣＰＵ５３Ｄは、ＳＤＮコントローラ４からの受信光波長λｓ２が受信光波長となるため、その受信光波長に局発光波長をシフトするように局発光源５３Ａを制御する。その結果、波長変換器２０等で波長変換後の信号光が波長ズレ等でチャネルグリッドを大きく超えたとしても、局発光波長と受信光波長との間のズレがなくなるため、受信器５３毎の受信品質の劣化を抑制できる。
【００２６】
次に実施例１のＷＤＭシステム１の動作について説明する。図８は、第１の設定処理に関わるＳＤＮコントローラ４内のＣＰＵ４Ｃの処理動作の一例を示すフロー図である。図８においてＣＰＵ４Ｃ内の取得部３１は、情報通信部４Ａを通じて第２の送信群１０Ｂ内の各送信器１１から送信器１１毎の送信光波長λｓ１を取得する（ステップＳ１１）。尚、送信光波長λｓ１は、第２の送信群１０Ｂ内の送信器１１毎に異なる送信光の波長である。取得部３１は、情報通信部４Ａを通じて、第１の波長変換器２０Ａから第１の励起光波長λｐ１を取得する（ステップＳ１２）。取得部３１は、情報通信部４Ａを通じて、第２の波長変換器２０Ｂから第２の励起光波長λｐ２を取得する（ステップＳ１３）。ＣＰＵ４Ｃ内の算出部３２は、２（λｐ２-λｐ１）＋λｓ１の数式で、送信器１１に対応した受信器５３の受信光波長λｓ２を算出する（ステップＳ１４）。ＣＰＵ４Ｃ内の通知部３３は、情報通信部４Ａを通じて、受信器５３毎に算出した受信光波長λｓ２を局発光波長として該当受信器５３に通知し（ステップＳ１５）、図８に示す処理動作を終了する。
【００２７】
各受信器５３は、ＳＤＮコントローラ４から受信光波長λｓ２を受信し、受信光波長λｓ２を局発光波長として局発光源５３Ａに設定する。その結果、受信器５３は、例えば、波長変換器２０等で波長変換後の信号光が波長ズレ等でチャネルグリッドを大きく超えたとしても、局発光波長と受信光波長との間のズレがなくなるため、受信品質の劣化を抑制できる。
【００２８】
尚、従来の伝送装置でも波長ズレは存在し、実際にはＤＳＰで電気的に補正している。また、伝送装置内での局発光のスイープも機能的には可能である。しかしながら、波長変換器２０を通じて波長変換後の受信光を受信する伝送装置では、波長ズレにより受信光の波長がチャネルグリッドを大きく超える場合が起こり得る。この際、従来の伝送装置では、受信光の波長がチャネルグリッドを大きく超える場合は想定されていないため、受信光の受信が困難になる。
【００２９】
実施例１内のＳＤＮコントローラ４は、第２の送信群１０Ｂ内の送信器１１毎の送信光波長λｓ１、第１の波長変換器２０Ａの第１の励起光波長λｐ１及び第２の波長変換器２０Ｂの第２の励起光波長λｐ２を取得する。ＳＤＮコントローラ４は、２（λｐ２-λｐ１）＋λｓ１の数式で、第２の受信群５０Ｂ内の受信器５３毎の受信光波長λｓ２を算出する。更に、ＳＤＮコントローラ４は、受信器５３毎に算出した受信光波長λｓ２を各受信器５３に通知する。受信器５３は、例えば、波長変換器２０等で波長変換後の信号光が波長ズレ等でチャネルグリッドを大きく超えたとしても、受信した受信光波長λｓ２が局発光波長と一致させるべく、受信光波長λｓ２に局発光波長を設定する。その結果、受信光波長と局発光波長との間のズレがなくなるため、受信品質の劣化を抑制できる。また、受信光波長と一致するように受信器５３の局発光の波長を補正するため、波長変換器２０内の非線形ファイバの零分散波長のズレに起因する信号パワーの低下及び信号波長のズレの影響による受信品質の劣化を抑制できる。
【００３０】
また、実施例１のＷＤＭシステム１では、第１の伝送装置２Ａと、第２の伝送装置２Ｂとの間の伝送路ファイバが１スパンの場合を例示したが、複数のＮスパンの場合にも適用可能である。例えば、２×Σ[(スパンＮの第２の波長変換器２０Ｂの第２の励起光波長λｐ２)−(スパンＮの第１の波長変換器２０Ａの第１の励起光波長λｐ１)]＋(送信光波長λｓ１)の数式で、Ｎスパンの場合でも、受信器５３への受信光波長λｓ２を算出できる。
【００３１】
実施例１の取得部３１は、情報通信部４Ａを通じて、送信器１１から送信光波長λｓ１、第１の波長変換器２０Ａから第１の励起光波長λｐ１、第２の波長変換器２０Ｂから第２の励起光波長を取得した。しかしながら、ＳＤＮコントローラ４は、送信器１１毎の送信光波長λｓ１、第１の励起光波長λｐ１及び第２の励起光波長λｐ２等の波長情報を記憶部４Ｂに記憶しておき、記憶部４Ｂから波長情報を取得しても良く、適宜変更可能である。
【００３２】
尚、実施例１のＳＤＮコントローラ４は、２（λｐ２-λｐ１）＋λｓ１の数式で受信光波長λｓ２を算出したが、これに限定されるものではなく、適宜変更可能である。その実施の形態につき、実施例２として以下に説明する。尚、実施例１のＷＤＭシステム１と同一の構成には同一符号を付すことで、その重複する構成及び動作の説明については省略する。
【実施例２】
【００３３】
図９は、実施例２のＷＤＭシステム１Ａの一例を示す説明図である。実施例１のＷＤＭシステム１と実施例２のＷＤＭシステム１Ａとが異なるところは、２（λｐ２−λｐ１）＋λｓ１の代わりに２（Δλｐ２−Δλｐ１）＋λｓ１を使用する点にある。Δλｐ１は、設定基準波長と第１の励起光波長λｐ１との波長差分を示す第１の差分量である。Δλｐ２は、設定基準波長と第２の励起光波長λｐ２との波長差分を示す第２の差分量である。
【００３４】
第１の波長変換器２０Ａ内の変換側ＣＰＵ２５は、設定基準波長及び第１の励起光波長λｐ１に基づき、第１の差分量Δλｐ１を算出する。第２の波長変換器２０Ｂ内の変換側ＣＰＵ２５は、設定基準波長及び第２の励起光波長λｐ２に基づき、第２の差分量Δλｐ２を算出する。
【００３５】
ＳＤＮコントローラ４の取得部３１は、情報通信部４Ａを通じて、第２の送信群１０Ｂ内の各送信器１１から送信光波長λｓ１と、第１の波長変換器２０Ａから第１の差分量Δλｐ１と、第２の波長変換器２０Ｂから第２の差分量Δλｐ２とを取得する。算出部３２は、２（Δλｐ２-Δλｐ１）＋λｓ１の数式で、第２の受信群５０内の受信器５３毎の受信光波長λｓ２を算出する。通知部３３は、受信器５３毎の受信光波長λｓ２を算出した場合、情報通信部４Ａを通じて、受信光波長λｓ２を該当受信器５３に通知する。
【００３６】
次に実施例２のＷＤＭシステム１Ａの動作について説明する。図１０は、第２の設定処理に関わるＳＤＮコントローラ４内のＣＰＵ４Ｃの処理動作の一例を示すフロー図である。図１０においてＣＰＵ４Ｃ内の取得部３１は、情報通信部４Ａを通じて、第２の送信群１０Ｂ内の各送信器１１から送信器１１毎の送信光波長λｓ１を取得する（ステップＳ１１）。取得部３１は、情報通信部４Ａを通じて、第１の波長変換器２０Ａから第１の差分量Δλｐ１を取得する（ステップＳ１２Ａ）。取得部３１は、情報通信部４Ａを通じて、第２の波長変換器２０Ｂから第２の差分量Δλｐ２を取得する（ステップＳ１３Ａ）。算出部３２は、２（Δλｐ２-Δλｐ１）＋λｓ１の数式で、第２の受信群５０Ｂ内の受信器５３毎の受信光波長λｓ２を算出する（ステップＳ１４Ａ）。
【００３７】
第２の受信群５０Ｂ内の各受信器５３は、ＳＤＮコントローラ４で算出した受信器５３毎の受信光波長λｓ２を受信し、受信光波長λｓ２を局発光波長として設定する。その結果、受信器５３は、例えば、波長変換器２０等で波長変換後の信号光が波長ズレ等でチャネルグリッドを大きく超えたとしても、局発光波長と受信光波長との間のズレがなくなるため、受信品質の劣化を抑制できる。
【００３８】
実施例２内のＳＤＮコントローラ４は、第２の送信群１０Ｂ内の送信器１１毎の送信光波長λｓ１、第１の波長変換器２０Ａの第１の差分量Δλｐ１及び第２の波長変換器２０Ｂの第２の差分量Δλｐ２を取得する。ＳＤＮコントローラ４は、２（Δλｐ２-Δλｐ１）＋λｓ１の数式で、第２の受信群５０Ｂ内の受信器５３毎の受信光波長λｓ２を算出し、受信光波長λｓ２を各受信器５３に通知する。受信器５３は、例えば、波長変換器２０等で波長変換後の信号光が波長ズレ等でチャネルグリッドを大きく超えたとしても、受信した受信光波長λｓ２が局発光波長と一致させるべく、受信光波長λｓ２に局発光波長を設定する。その結果、局発光波長と受信光波長との間のズレがなくなるため、受信品質の劣化を抑制できる。
【００３９】
尚、実施例の第２の伝送装置２Ｂでは、光分波器５２を例示したが、光分波器５２の代わりにＷＳＳ（Wavelength  Selective  Switch）を配置しても良く、その実施の形態につき、実施例３として以下に説明する。
【実施例３】
【００４０】
図１１は、実施例３のＷＤＭシステム１Ｂの一例を示す説明図である。尚、実施例３のＷＤＭシステム１Ｂと同一の構成には同一符号を付すことで、その重複する構成及び動作の説明については省略する。実施例１のＷＤＭシステム１と実施例３のＷＤＭシステム１Ｂとが異なるところは、光合波器１２の代わりに第１のＷＳＳ１２Ａを配置し、光分波器５２の代わりに第２のＷＳＳ５２Ａを配置した点にある。
【００４１】
第１の送信群１０Ａ内の第１のＷＳＳ１２Ａは、各送信器１１の信号光を波長選択し、各送信器１１の信号光を多重化して第１の多重光を光増幅器１３に出力する。第２の送信群１０Ｂ内の第１のＷＳＳ１２Ａは、各送信器１１の信号光を波長選択し、各送信器１１の信号光を多重化して第１の多重光を光増幅器１３に出力する。
【００４２】
第１の受信群５０Ａ内の第２のＷＳＳ５２Ａは、例えば、多重光から各受信器５３対応の波長の信号光のみを透過し、透過した信号光を対応受信器５３に出力する。第２の受信群５０Ｂ内の第２のＷＳＳ５２Ａは、例えば、多重光から各受信器５３対応の波長の信号光のみを透過し、透過した信号光を対応受信器５３に出力する。尚、第２のＷＳＳ５２Ａは、受信器５３毎に透過波長を設定するものとする。
【００４３】
取得部３１は、情報通信部４Ａを通じて、第２の送信群１０Ｂ内の送信器１１毎の送信光波長λｓ１、第１の励起光波長λｐ１及び第２の励起光波長λｐ２を取得する。算出部３２は、２（λｐ２-λｐ１）＋λｓ１の数式で、第２の受信群５０Ｂ内の受信器５３毎の受信光波長λｓ２を算出する。そして、通知部３３は、情報通信部４Ａを通じて、受信器５３対応の受信光波長λｓ２を該当受信器５３に通知すると共に、受信光波長λｓ２の信号光が透過するように受信光波長λｓ２を第２の受信群５０Ｂ内の第２のＷＳＳ５２Ａに通知する。
【００４４】
図１２は、第２のＷＳＳ５２Ａのシフト前後の透過波長の一例を示す説明図である。第２のＷＳＳ５２Ａは、受信器５３毎の受信光波長λｓ２をＳＤＮコントローラ４から受信した場合、図１２に示すように、受信光波長λｓ２の信号光が透過するように受信器５３毎の透過波長及び帯域幅を設定する。
【００４５】
次に実施例３のＷＤＭシステム１Ｂの動作について説明する。図１３は、第３の設定処理に関わるＳＤＮコントローラ４内のＣＰＵ４Ｃの処理動作の一例を示すフロー図である。図１３においてＳＤＮコントローラ４内のＣＰＵ４Ｃ内の通知部３３は、ステップＳ１４にて受信器５３の受信光波長λｓ２を算出した後、受信光波長λｓ２を透過波長とすべく、第２のＷＳＳ５２Ａに通知する（ステップＳ２１）。第２のＷＳＳ５２Ａは、第２の受信群５０Ｂ内の受信器５３毎の受信光波長λｓ２を受信したので、受信光波長λｓ２を透過波長として設定する。更に、通知部３３は、第２の受信群５０Ｂ内の受信器５３毎の受信光波長λｓ２を第２のＷＳＳ５２Ａに通知した後、第２の受信群５０Ｂ内の受信器５３毎の受信光波長λｓ２を受信器５３毎に通知し（ステップＳ２２）、図１３に示す処理動作を終了する。
【００４６】
実施例３内のＳＤＮコントローラ４は、第２の送信群１０Ｂ内の送信器１１毎の送信光波長λｓ１、第１の波長変換器２０Ａの第１の励起光波長λｐ１及び第２の波長変換器２０Ｂの第２の励起光波長λｐ２を取得する。ＳＤＮコントローラ４は、２（λｐ２-λｐ１）＋λｓ１の数式で、第２の受信群５０Ｂ内の受信器５３毎の受信光波長λｓ２を算出し、受信光波長λｓ２を各受信器５３に通知する。更に、ＳＤＮコントローラ４は、受信器５３毎の受信光波長λｓ２を透過波長として第２のＷＳＳ５２Ａに通知する。その結果、第２のＷＳＳ５２Ａは、受信した受信光波長λｓ２を透過波長に設定するため、受信器５３宛の信号光を該当受信器５３に出力する。更に、受信器５３は、例えば、波長変換器２０等で波長変換後の信号光が波長ズレ等でチャネルグリッドを大きく超えたとしても、受信した受信光波長λｓ２に局発光波長を設定することで、受信光波長と局発光波長との間のズレがなくなるため、受信品質の劣化を抑制できる。
【００４７】
尚、第２のＷＳＳ５２Ａは、多重光から各受信器５３対応の波長の信号光のみを透過する場合を例示したが、受信器５３対応の波長の信号光を含む信号光を透過する場合にも適用可能であることは言うまでもない。
【００４８】
また、説明の便宜上、光分波器５２の代わりに第２のＷＳＳ５２Ａを配置したが、ＡＷＧ(Arrayed-Waveguide  Grating)や光カプラ等であっても良く、適宜変更可能である。ＡＷＧは、ＡＷＧの温度コントローラの温度を変更することで、多重光から一定の波長を透過及び遮断する。光カプラは、多重光から全波長を透過する。
【００４９】
実施例１のＳＤＮコントローラ４は、２（λｐ２-λｐ１）＋λｓ１の数式を用いて、第２の受信群５０Ｂ内の受信器５３毎の受信光波長λｓ２を算出し、受信光波長λｓ２を該当受信器５３に通知した。しかしながら、第１の励起光波長λｐ１及び第２の励起光波長λｐ２を用いてシフト波長量を算出しても良く、その実施の形態につき、実施例４として以下に説明する。
【実施例４】
【００５０】
図１４は、実施例４のＷＤＭシステム１Ｃの一例を示す説明図である。尚、実施例１のＷＤＭシステム１と同一の構成には同一符号を付すことで、その重複する構成及び動作の説明については省略する。実施例１のＷＤＭシステム１と実施例４のＷＤＭシステム１Ｃとが異なるところは、ＳＤＮコントローラ４が第１の励起光波長λｐ１及び第２の励起光波長λｐ２に基づきシフト波長量Δλｐを算出する点にある。更に、異なるところは、ＳＤＮコントローラ４が、算出したシフト波長量Δλｐを第２の送信群１０Ｂ内の各送信器１１に通知し、各送信器１１が、受信したシフト波長量Δλｐに基づき、発光する信号光の波長をシフトする点にある。
【００５１】
第１の励起光波長λｐ１と第２の励起光波長λｐ２とが一致する場合は、第２の受信群５０Ｂ内の受信器５３の受信光と第２の送信群１０Ｂ内の対応の送信器１１の送信光とが同一波長となる。これに対して、第１の励起光波長λｐ１と第２の励起光波長λｐ２とが不一致の場合、第２の受信群５０Ｂ内の受信器５３の受信光の波長がずれる。従って、このズレを補正するために第２の送信群１０Ｂ内の送信器１１の送信光の波長をシフトする。つまり、第１の励起光波長λｐ１と第２の励起光波長λｐ２とのズレ量Δλｐをキャンセルするように、第２の送信群１０Ｂ内の送信器１１は、−２Δλｐを算出し、算出した−２Δλｐ分だけ送信光の波長をシフトする。
【００５２】
更に、ＳＤＮコントローラ４内のＣＰＵ４Ｃは、算出部３２の代わりに第１の算出部３２Ａを配置する。第１の算出部３２Ａは、取得部３１にて第１の励起光波長λｐ１及び第２の励起光波長λｐ２を取得した後、第１の励起光波長λｐ１及び第２の励起光波長λｐ２に基づき、シフト波長量Δλｐを算出する。つまり、第１の算出部３２Ａは、λｐ２−λｐ１の数式でシフト波長量Δλｐを算出する。通知部３３は、第２の送信群１０Ｂ毎の送信器１１の送信光波長λｓ１をシフト後、送信光波長を受信光波長と同一にすべく、送信光波長λｓ１を第２の受信群５０Ｂ内の受信器５３に通知する。
【００５３】
次に実施例４のＷＤＭシステム１Ｃの動作について説明する。図１５は、第４の設定処理に関わるＳＤＮコントローラ４内のＣＰＵ４Ｃの処理動作の一例を示すフロー図である。図１５においてＳＤＮコントローラ４内のＣＰＵ４Ｃ内の取得部３１は、情報通信部４Ａを通じて、第１の波長変換器２０Ａから第１の励起光波長λｐ１を取得する（ステップＳ３１）。取得部３１は、情報通信部４Ａを通じて、第２の波長変換器２０Ｂから第２の励起光波長λｐ２を取得する（ステップＳ３２）。第１の算出部３２Ａは、λｐ２−λｐ１に基づき、シフト波長量Δを算出する（ステップＳ３３）。通知部３３は、情報通信部４Ａを通じて、シフト波長量Δλｐを第２の送信群１０Ｂ内の各送信器１１に通知する（ステップＳ３４）。その結果、第２の送信群１０Ｂ内の各送信器１１は、シフト波長量Δλｐに基づき、送信光の波長のシフト量−２Δλｐを算出し、送信光の波長を−２Δλｐ分シフトする。更に、通知部３３は、第２の送信群１０Ｂ毎の送信器１１の送信光波長λｓ１をシフト後、局発光波長を受信光波長と同一にすべく、シフト前の送信光波長λｓ１を第２の受信群５０Ｂ内の受信器５３に通知する。
【００５４】
実施例４のＳＤＮコントローラ４は、第１の波長変換器２０Ａの第１の励起光波長λｐ１及び第２の波長変換器２０Ｂの第２の励起光波長λｐ２を取得する。ＳＤＮコントローラ４は、λｐ２−λｐ１の数式でシフト波長量Δλｐを算出し、シフト波長量Δλｐを第２の送信群１０Ｂ内の各送信器１１に通知する。第２の送信群１０Ｂ内の各送信器１１は、送信光（第１の信号光）の波長を−２Δλｐ分シフトする。通知部３３は、第２の送信群１０Ｂ毎の送信器１１の送信光波長λｓ１をシフト後、局発光波長を受信光波長と同一にすべく、シフト前の送信光波長λｓ１を第２の受信群５０Ｂ内の受信器５３に通知する。その結果、例えば、波長変換器２０等で波長変換後の信号光が波長ズレ等でチャネルグリッドを大きく超えたとしても、局発光波長を受信光の波長と一致させるため、受信器５３毎の受信品質の劣化を抑制できる。
【００５５】
尚、実施例４のＳＤＮコントローラ４は、第１の励起光波長λｐ１及び第２の励起光波長λｐ２に基づき、λｐ２−λｐ１の数式でシフト波長量Δλｐを算出した。しかしながら、ＳＤＮコントローラ４は、第２の送信群１０Ｂ内の各送信器１１に第１の励起光波長λｐ１及び第２の励起光波長λｐ２を通知するようにしても良い。この場合、第２の送信群１０Ｂ内の各送信器１１自体が、受信した第１の励起光波長λｐ１及び第２の励起光波長λｐ２に基づき、シフト波長量Δλｐを算出しても良く、適宜変更可能である。
【００５６】
実施例４の各送信器１１は、送信光の波長のシフト量−２Δλｐを算出したが、ＳＤＮコントロー４が送信光の波長のシフト量−２Δλｐを算出し、算出したシフト量−２Δλｐを各送信器１１に通知しても良く、適宜変更可能である。
【００５７】
尚、実施例４のＳＤＮコントローラ４は、シフト波長量Δλｐを各送信器１１に通知する場合を例示したが、シフト波長量Δλｐを送信器１１の他に、各受信器５３に通知しても良く、その実施の形態につき、実施例５として以下に説明する。
【実施例５】
【００５８】
図１６は、実施例５のＷＤＭシステム１Ｄの一例を示す説明図である。尚、実施例４のＷＤＭシステム１Ｃと同一の構成には同一符号を付すことで、その重複する構成及び動作の説明については省略する。実施例４のＷＤＭシステム１Ｃと実施例５のＷＤＭシステム１Ｄとが異なるところは、シフト波長量Δλｐを各送信器１１に通知するだけでなく、各受信器５３に通知する点にある。
【００５９】
第１の励起光波長λｐ１と第２の励起光波長λｐ２とが一致する場合は、第２の受信群５０Ｂ内の受信器５３の受信光と第２の送信群１０Ｂ内の対応の送信器１１の送信光とが同一波長となる。これに対して、第１の励起光波長λｐ１と第２の励起光波長λｐ２とが不一致の場合、第２の受信群５０Ｂ内の受信器５３の受信光の波長がずれる。従って、このズレを補正するために、第２の送信群１０Ｂ内の送信器１１の送信光の波長及び第２の受信群５０Ｂ内の受信器５３の受信光の波長をシフトする。つまり、第１の励起光波長λｐ１と第２の励起光波長λｐ２とのズレ量Δλｐをキャンセルするように、第２の送信群１０Ｂ内の各送信器１１は、−Δλｐ分だけ送信光の波長をシフトする。更に、第２の受信群５０Ｂ内の各受信器５３は、＋Δλｐ分だけ受信光の波長をシフトする。
【００６０】
次に実施例５のＷＤＭシステム１Ｄの動作について説明する。図１７は、第５の設定処理に関わるＳＤＮコントローラ４内のＣＰＵ４Ｃの処理動作の一例を示すフロー図である。図１７においてＣＰＵ４Ｃ内の通知部３３は、ステップＳ３３にてシフト波長量Δλｐを算出した後、情報通信部４Ａを通じて、シフト波長量Δλｐを第２の送信群１０Ｂ内の各送信器１１に通知する（ステップＳ３５Ａ）。その結果、第２の送信群１０Ｂ内の各送信器１１は、シフト波長量Δλｐに基づき、送信光の波長を−Δλｐ分シフトする。
【００６１】
更に、通知部３３は、シフト波長量Δλｐを各送信器１１に通知した後、情報通信部４Ａを通じて、シフト波長量Δλｐを第２の受信群５０Ｂ内の各受信器５３に通知し（ステップＳ３６）、図１５に示す処理動作を終了する。その結果、第２の受信群５０Ｂ内の各受信器５３は、シフト波長量Δλｐに基づき、受信光の波長として局発光波長を＋Δλｐ分シフトする。
【００６２】
実施例５のＳＤＮコントローラ４は、第１の波長変換器２０Ａの第１の励起光波長λｐ１及び第２の波長変換器２０Ｂの第２の励起光波長λｐ２を取得する。ＳＤＮコントローラ４は、λｐ２−λｐ１の数式でシフト波長量Δλｐを算出し、シフト波長量Δλｐを第２の送信群１０Ｂ内の各送信器１１に通知する。第２の送信群１０Ｂ内の各送信器１１は、送信光の波長を−Δλｐシフトする。ＳＤＮコントローラ４は、シフト波長量Δλｐを第２の受信群５０Ｂ内の各受信器５３に通知する。第２の受信群５０Ｂ内の各受信器５３は、受信光の波長として局発光波長を＋Δλｐシフトする。その結果、第２の受信群５０Ｂ内の各受信器５３は、例えば、波長変換器２０等で波長変換後の信号光が波長ズレ等でチャネルグリッドを大きく超えたとしても、受信品質の劣化を抑制できる。
【００６３】
尚、上記実施例１のＳＤＮコントローラ４は、２（λｐ２−λｐ１）＋λｓ１で受信光波長λｓ２を算出した。しかしながら、ＳＤＮコントローラ４ではなく、第２の受信群５０Ｂ内の受信器５３の受信側ＣＰＵ５３Ｄで受信光波長λｓ２を算出しても良く、その実施の形態につき、実施例６として以下に説明する。
【実施例６】
【００６４】
図１８は、実施例６のＷＤＭシステム１Ｅの一例を示す説明図である。尚、図１に示すＷＤＭシステム１と同一の構成には同一符号を付すことで、その重複する構成及び動作の説明については省略する。図１８に示すＷＤＭシステム１Ｅと図１に示すＷＤＭシステム１とが異なるところは、ＳＤＮコントローラ４の代わりに第２の受信群５０Ｂ内の各受信器５３で受信光波長λｓ２を算出する点にある。
【００６５】
第２の送信群１０Ｂ内の各送信器１１内の情報通信部１１Ｃは、第１の波長変換器２０Ａ内の情報通信部２４との間で通信する。第１の波長変換器２０Ａ内の情報通信部２４は、第２の波長変換器２０Ｂ内の情報通信部２４との間で通信する。第２の波長変換器２０Ｂ内の情報通信部２４は、第２の受信群５０Ｂ内の各受信器５３内の情報通信部５３Ｃとの間で通信する。
【００６６】
各受信器５３内の受信側ＣＰＵ５３Ｄは、機能として、第２の算出部５３Ｆと、設定部５３Ｇとを有する。第２の算出部５３Ｆは、情報通信部５３Ｃを通じて送信光波長λｓ１、第１の励起光波長λｐ１及び第２の励起光波長λｐ２を取得する。第２の算出部５３Ｆは、２（λｐ２-λｐ１）＋λｓ１で受信光波長λｓ２を算出する。設定部５３Ｇは、算出した受信光波長λｓ２を局発光波長として局発光源５３Ａに設定する。
【００６７】
第２の送信群１０Ｂ内の各送信器１１は、情報通信部１１Ｃを通じて送信光波長λｓ１を第１の波長変換器２０Ａに通知する。第１の波長変換器２０Ａは、情報通信部２４を通じて、送信光波長λｓ１の他に、第１の励起光波長λｐ１を第２の波長変換器２０Ｂに通知する。
【００６８】
第２の波長変換器２０Ｂは、情報通信部２４を通じて、送信光波長λｓ１及び第１の励起光波長λｐ１の他に、第２の励起光波長λｐ２を第２の受信群５０Ｂ内の該当受信器５３に通知する。第２の受信群５０Ｂ内の各受信器５３内の第２の算出部５３Ｆは、送信光波長λｓ１、第１の励起光波長λｐ１及び第２の励起光波長λｐ２に基づき、２（λｐ２-λｐ１）＋λｓ１で受信光波長λｓ２を算出する。設定部５３Ｇは、第２の算出部５３Ｆにて算出した受信光波長λｓ２を局発光源５３Ａの局発光波長として設定する。
【００６９】
実施例６の第２の受信群５０Ｂ内の各受信器５３は、第２の送信群１０Ｂ内の送信器毎の送信光波長λｓ１、第１の波長変換器２０Ａの第１の励起光波長λｐ１及び第２の波長変換器２０Ｂの第２の励起光波長λｐ２を取得する。第２の受信群５０Ｂ内の各受信器５３は、２（λｐ２−λｐ１）＋λｓ１の数式で、受信光波長λｓ２を算出し、受信光波長λｓ２を局発光波長として局発光源５３Ａに設定する。受信器５３は、例えば、波長変換器２０等で波長変換後の信号光が波長ズレ等でチャネルグリッドを大きく超えたとしても、受信した受信光波長λｓ２に局発光波長を設定する。その結果、受信光波長と局発光波長との間のズレがなくなるため、受信品質の劣化を抑制できる。
【００７０】
尚、上記実施例１のＷＤＭシステム１は、Ｃ帯の第１の多重光をＬ帯の第２の多重光に波長変換すると共に、Ｌ帯の第２の多重光をＣ帯の第１の多重光に波長変換するシステムを例示したが、Ｌ帯に限定されるものではなく、適宜変更可能である。例えば、Ｃ帯の第１の多重光をＳ帯の第３の多重光に波長変換すると共に、Ｓ帯の第３の多重光をＣ帯の第１の多重光に波長変換する波長変換器を追加した実施の形態につき、実施例７として以下に説明する。
【実施例７】
【００７１】
図１９は、実施例７のＷＤＭシステム１Ｆの一例を示す説明図である。尚、実施例１のＷＤＭシステム１と同一の構成には同一符号を付すことで、その重複する構成及び動作の説明については省略する。図１９に示す第１の伝送装置２Ａは、第１の送信群１０Ａ、第２の送信群１０Ｂ、第１の波長変換器２０Ａ及び波長合波器３０に加えて、第３の送信群１０Ｃと、第３の波長変換器２０Ｃとを有する。第３の送信群１０Ｃは、Ｃ帯の送信器１１と、光合波器１２と、光増幅器１３とを有する。
【００７２】
第３の波長変換器２０Ｃは、第３の励起光を用いて、第３の送信群１０ＣからのＣ帯の第１の多重光をＳ帯の第３の多重光に波長変換する。第３の波長変換器２０Ｃは、Ｓ帯の第３の多重光を波長合波器３０に出力する。波長合波器３０は、第１の送信群１０ＡからのＣ帯の第１の多重光と、第１の波長変換器２０ＡからのＬ帯の第２の多重光と、第３の波長変換器２０ＣからのＳ帯の第３の多重光とを合波する。そして、波長合波器３０は、第１の多重光、第２の多重光及び第３の多重光を伝送路ファイバ３に出力する。
【００７３】
第２の伝送装置２Ｂは、波長分波器４０、第２の波長変換器２０Ｂ、第１の受信群５０Ａ及び第２の受信群５０Ｂの他に、第４の波長変換器２０Ｄと、第３の受信群５０Ｃとを有する。第３の受信群５０Ｃは、光増幅器５１と、光分波器５２と、Ｃ帯の受信器５３とを有する。波長分波器４０は、伝送路ファイバ３から受信した多重光をＣ帯の第１の多重光、Ｌ帯の第２の多重光及びＳ帯の第３の多重光に分波する。波長分波器４０は、Ｃ帯の第１の多重光を第１の受信群５０Ａに出力すると共に、Ｌ帯の第２の多重光を第２の波長変換器２０Ｂに出力すると共に、Ｓ帯の第３の多重光を第４の波長変換器２０Ｄに出力する。
【００７４】
第４の波長変換器２０Ｄは、第４の励起光を用いて、波長分波器４０からのＳ帯の第３の多重光をＣ帯の第１の多重光に波長変換する。尚、第４の励起光波長は、第３の励起光波長と同一波長とする。第４の波長変換器２０Ｄは、波長変換後のＣ帯の第３の多重光を第３の受信群５０Ｃに出力する。
【００７５】
ＳＤＮコントローラ４内のＣＰＵ４Ｃは、算出部３２の代わりに第３の算出部３２Ｃを配置した。取得部３１は、情報通信部４Ａを通じて、第２の送信群１０Ｂ内の各送信器１１から送信光波長λｓ１１、第１の波長変換器２０Ａから第１の励起光波長λｐ１１、第２の波長変換器２０Ｂから第２の励起光波長λｐ１２を取得する。尚、第１の励起光波長λｐ１１は、第２の励起光波長λｐ１２と同一波長とする。第３の算出部３２Ｃは、送信光波長λｓ１１、第１の励起光波長λｐ１１及び第２の励起光波長λｐ１２に基づき、２（λｐ１２−λｐ１１）＋λｓ１１の数式で受信光波長λｓ１２を算出する。受信光波長λｓ１２は、第２の送信群１０Ｂ内の送信器１１に対応した第２の受信群５０Ｂ内の受信器５３の受信光波長である。通知部３３は、第２の受信群５０Ｂ内の受信器５３毎に算出した受信光波長λｓ１２を該当受信器５３に通知する。その結果、第２の受信群５０Ｂ内の各受信器５３は、受信した受信光波長λｓ１２を局発光波長として局発光源３４を設定する。
【００７６】
取得部３１は、情報通信部４Ａを通じて、第３の送信群１０Ｃ内の各送信器１１から送信光波長λｓ２１、第３の波長変換器２０Ｃから第１の励起光波長λｐ２１、第４の波長変換器２０Ｄから第２の励起光波長λｐ２２を取得する。第３の算出部３２Ｃは、送信光波長λｓ２１、第１の励起光波長λｐ２１及び第２の励起光波長λｐ２２に基づき、２（λｐ２２−λｐ２１）＋λｓ２１の数式で受信光波長λｓ２２を算出する。受信光波長λｓ２２は、第３の送信群１０Ｃ内の送信器１１に対応した第３の受信群５０Ｃ内の受信器５３の受信光波長である。通知部３３は、第３の受信群５０Ｃ内の受信器５３毎に算出した受信光波長λｓ２２を該当受信器５３に通知する。その結果、第３の受信群５０Ｃ内の各受信器５３は、受信した受信光波長λｓ２２を局発光波長として局発光源３４を設定する。
【００７７】
第２の受信群５０Ｂ内の各受信器５３は、算出した受信器５３毎の受信光波長λｓ１２を受信し、受信光波長λｓ１２を局発光波長として設定する。第２の受信群５０Ｂ内の各受信器５３は、例えば、波長変換器２０等で波長変換後の信号光が波長ズレ等でチャネルグリッドを大きく超えたとしても、局発光波長と受信光波長との間のズレがなくなる。その結果、Ｌ帯の第２の多重光で伝送された多重光の受信品質の劣化を抑制できる。
【００７８】
第３の受信群５０Ｃ内の各受信器５３は、算出した受信器５３毎の受信光波長λｓ２２を受信し、受信光波長λｓ２２を局発光波長として設定する。第３の受信群５０Ｃ内の各受信器５３は、例えば、波長変換器２０等で波長変換後の信号光が波長ズレ等でチャネルグリッドを大きく超えたとしても、局発光波長と受信光波長との間のズレがなくなる。その結果、Ｓ帯の第３の多重光で伝送された多重光の受信品質の劣化を抑制できる。しかも、ＷＤＭシステム１Ｆでは、Ｃ帯、Ｌ帯及びＳ帯の波長帯を用いて大容量の伝送を実現できる。
【００７９】
尚、上記実施例１のＷＤＭシステム１では、第１の伝送装置２Ａから第２の伝送装置２Ｂへの多重光を伝送する場合を例示したが、第２の伝送装置２Ｂから第１の伝送装置２Ａへの多重光を伝送する場合も同様の効果が得られることは言うまでもない。そこで、伝送装置間を双方向に伝送するＷＤＭシステム１Ｇの実施の形態につき、実施例８として以下に説明する。
【実施例８】
【００８０】
図２０は、実施例８のＷＤＭシステム１Ｇの一例を示す説明図である。図２０に示すＷＤＭシステム１Ｇは、第３の伝送装置２Ｃと、第４の伝送装置２Ｄと、伝送路ファイバ３とを有する。伝送路ファイバ３は、第３の伝送装置２Ｃから第４の伝送装置２Ｄへの多重光を伝送する上り伝送路ファイバ３Ａと、第４の伝送装置２Ｄから第３の伝送装置２Ｃへの多重光を伝送する下り伝送路ファイバ３Ｂとを有する。
【００８１】
第３の伝送装置２Ｃは、複数の第１の送受信器６０Ａと、光合波器７１Ａと、光分波器７２Ａと、第１の双方向波長変換器８０Ａとを有する。尚、図２０に示す第３の伝送装置２Ｃは、複数台の第１の送受信器６０Ａを内蔵しているものとする。
【００８２】
第１の送受信器６０Ａは、光源６１と、変調部６２と、復調部６３と、情報通信部６４と、ＣＰＵ６５とを有する。光源６１は、送信機能として信号光を発光すると共に、受信機能として局発光を発光するＬＤである。変調部６２は、光源６１からの信号光を光変調する。復調部６３は、光源６１からの局発光を用いて、光分波器７２Ａで分波された受信光を光復調する。情報通信部６４は、ＳＤＮコントローラ４との間で通信する。ＣＰＵ６５は、第１の送受信器６０Ａ全体を制御する。光合波器７１Ａは、第１の送受信器６０Ａからの信号光を合波し、合波した多重光を第１の双方向波長変換器８０Ａに出力する。光分波器７２Ａは、第１の双方向波長変換器８０Ａからの第１の多重光内の全波長のＣ帯の信号光を各第１の送受信器６０Ａに出力する。各第１の送受信器６０Ａは、光分波器７２Ａからの第１の多重光内の全波長のＣ帯の信号光から、自分宛の波長の局発光を用いて、自分宛の受信光を受信する。
【００８３】
第４の伝送装置２Ｄは、複数の第２の送受信器６０Ｂと、光合波器７１Ｂと、光分波器７２Ｂと、第２の双方向波長変換器８０Ｂとを有する。尚、図２０に示す第４の伝送装置２Ｄは、複数台の第２の送受信器６０Ｂを内蔵しているものとする。第２の送受信器６０Ｂは、光源６１と、変調部６２と、復調部６３と、情報通信部６４と、ＣＰＵ６５とを有する。
【００８４】
第１の双方向波長変換器８０Ａは、励起光源８１と、双方向非線形ファイバ８２と、情報通信部８３と、記憶部８４と、ＣＰＵ８５とを有する。励起光源８１は、第１の励起光を発光するＬＤである。双方向非線形ファイバ８２は、励起光源８１からの第１の励起光を用いてＣ帯の第１の多重光をＬ帯の第２の多重光に波長変換すると共に、第１の励起光を用いて第２の多重光を第１の多重光に波長変換する。情報通信部８３は、ＳＤＮコントローラ４と通信する。記憶部８４は、例えば、零分散波長テーブル等の各種情報を記憶する。ＣＰＵ８５は、第１の双方向波長変換器８０Ａ全体を制御する。
【００８５】
第２の双方向波長変換器８０Ｂは、励起光源８１と、双方向非線形ファイバ８２と、情報通信部８３と、記憶部８４と、ＣＰＵ８５とを有する。励起光源８１は、第２の励起光を発光するＬＤである。双方向非線形ファイバ８２は、励起光源８１からの第２の励起光を用いてＣ帯の第１の多重光をＬ帯の第２の多重光に波長変換すると共に、第２の励起光を用いて第２の多重光を第１の多重光に波長変換する。情報通信部８３は、ＳＤＮコントローラ４と通信する。記憶部８４は、例えば、零分散波長テーブル等の各種情報を記憶する。ＣＰＵ８５は、第２の双方向波長変換器８０Ｂ全体を制御する。
【００８６】
第３の伝送装置２Ｃ内の光合波器７１Ａは、各第１の送受信器６０ＡからのＣ帯の信号光を合波して第１の多重光を第１の双方向波長変換器８０Ａに出力する。第１の双方向波長変換器８０Ａは、第１の励起光を用いて、光合波器７１Ａからの第１の多重光をＬ帯の第２の多重光に波長変換する。第１の双方向波長変換器８０Ａは、波長変換後のＬ帯の第２の多重光を上り伝送路ファイバ３Ａに出力する。
【００８７】
第２の双方向波長変換器８０Ｂは、第２の励起光を用いて、上り伝送路ファイバ３Ａから受信したＬ帯の第２の多重光をＣ帯の第１の多重光に波長変換する。更に、第２の双方向波長変換器８０Ｂは、波長変換後の第１の多重光を光分波器７２Ｂに出力する。第４の伝送装置２Ｄ内の光分波器７２Ｂは、第２の双方向波長変換器８０Ｂからの第１の多重光内の全波長のＣ帯の信号光を各第２の送受信器６０Ｂに出力する。各第２の送受信器６０Ｂは、光分波器７２Ｂからの第１の多重光内の全波長のＣ帯の信号光から、自分宛の波長の局発光を用いて、自分宛の受信光を受信する。
【００８８】
また、第４の伝送装置２Ｄ内の光合波器７１Ａは、各第２の送受信器６０ＢからのＣ帯の信号光を合波して第１の多重光を第２の双方向波長変換器８０Ｂに出力する。第２の双方向波長変換器８０Ｂは、第２の励起光を用いて、光合波器７１ＢからのＣ帯の第１の多重光をＬ帯の第２の多重光に波長変換する。第２の双方向波長変換器８０Ｂは、波長変換後のＬ帯の第２の多重光を下り伝送路ファイバ３Ｂに出力する。
【００８９】
第１の双方向波長変換器８０Ａは、第１の励起光を用いて、下り伝送路ファイバ３Ｂから受信したＬ帯の第２の多重光をＣ帯の第１の多重光に波長変換する。更に、第１の双方向波長変換器８０Ａは、波長変換後の第１の多重光を光分波器７２Ａに出力する。第３の伝送装置２Ｃ内の光分波器７２Ａは、第１の双方向波長変換器８０Ａからの第１の多重光内の全波長のＣ帯の信号光を各第１の送受信器６０Ａに出力する。
【００９０】
ＳＤＮコントローラ４内の取得部３１は、情報通信部４Ａを通じて、第１の送受信器６０Ａからの送信光波長λｓ１、第１の双方向波長変換器８０Ａからの第１の励起光波長λｐ１、第２の双方向波長変換器８０Ｂからの第２の励起光波長λｐ２を取得する。算出部３２は、２（λｐ２−λｐ１）＋λｓ１の数式で、第１の送受信器６０Ａに対応した第２の送受信器６０Ｂの受信光波長λｓ２を算出する。通知部３３は、情報通信部４Ａを通じて、第２の送受信器６０Ｂ毎に算出した受信光波長λｓ２を該当の第２の送受信器６０Ｂに通知する。その結果、第２の送受信器６０Ｂは、受信した受信光波長λｓ２を局発光波長に設定すべく、光源６１を制御する。
【００９１】
ＳＤＮコントローラ４内の取得部３１は、第２の送受信器６０Ｂからの送信光波長λｓ１、第１の双方向波長変換器８０Ａからの第１の励起光波長λｐ１、第２の双方向波長変換器８０Ｂからの第２の励起光波長λｐ２を取得する。算出部３２は、２（λｐ２−λｐ１）＋λｓ１の数式で、第２の送受信器６０Ｂに対応した第１の送受信器６０Ａの受信光波長λｓ２を算出する。通知部３３は、第２の送受信器６０Ｂ毎に算出した受信光波長λｓ２を該当の第１の送受信器６０Ａに通知する。その結果、第１の送受信器６０Ａは、受信した受信光波長λｓ２を局発光波長に設定すべく、光源６１を制御する。
【００９２】
実施例８のＷＤＭシステム１Ｇでは、双方向波長変換器８０Ａ，８０Ｂを使用した場合でも、受信品質の劣化を抑制できる。
【００９３】
尚、上記実施例１のＷＤＭシステム１では、第１の伝送装置２Ａと第２の伝送装置２Ｂとの間を単一スパンの伝送路ファイバ３で接続した。しかしながら、第１の伝送装置２Ａと第２の伝送装置２Ｂとの間は単一スパンの伝送路ファイバ３に限定されるものではなく、複数のスパンの伝送路ファイバでも良い。従って、その実施の形態につき、実施例９として以下に説明する。
【実施例９】
【００９４】
図２１は、実施例９のＷＤＭシステム１Ｈの一例を示す説明図である。図２１に示すＷＤＭシステム１Ｈは、第１のＲＯＡＤＭ(Reconfigurable  Optical  Add/Drop  Multiplexer)９０Ａと、第１１の波長変換器８０Ｃと、第１のスパン３Ｃと、第１２の波長変換器８０Ｄとを有する。ＷＤＭシステム１Ｈは、ＩＬＡ（In  Line  Amplifier)１００と、第１３の波長変換器８０Ｅと、第２のスパン３Ｄと、第１４の波長変換器８０Ｆと、第２のＲＯＡＤＭ９０Ｂとを有する。
【００９５】
第１のＲＯＡＤＭ９０Ａは、プレアンプ９１と、ＭＵＸ−ＤＥＭＵＸ(Multiplexer/DeMultiplexer)９２と、ポストアンプ９３とを有する。ＭＵＸ−ＤＥＭＵＸ９２は、複数の第１の送受信器６０Ａと接続し、各第１の送受信器６０ＡからのＣ帯の信号光を第１の多重光として多重出力すると共に、第１の多重光をＣ帯の信号光に分離出力する。ＭＵＸ−ＤＥＭＵＸ９２は、多重化後のＣ帯の第１の多重光を第１１の波長変換器８０Ｃに出力する。また、ＭＵＸ−ＤＥＭＵＸ９２は、内部のＷＳＳで、例えば、第１１の波長変換器８０Ｃから受信した８８チャネルの全波長の内、任意の１波長が選択する。尚、内部のＷＳＳは、受信する信号光に合せて受信可能な信号光の透過帯域を調整するため、受信光の波長がチャネルグリッドの波長を大きく超えた場合でも、受信光の波長を漏れなく波長選択できる。そして、ＭＵＸ−ＤＥＭＵＸ９２は、選択された波長を、例えば、１６チャネルの複数の波長に合波し、合波した信号光を各第１の送受信器６０Ａに送信する。第１の送受信器６０Ａは、自分宛の信号光波長の局発光を用いて、ＭＵＸ−ＤＥＭＵＸ９２から受信した信号光から自分宛の信号光を受信する。
【００９６】
第１１の波長変換器８０Ｃは、第１１の励起光を用いて、第１の多重光を第２の多重光に波長変換すると共に、第１１の励起光を用いて、第２の多重光を第１の多重光に波長変換する。第１２の波長変換器８０Ｄは、第１２の励起光を用いて、第２の多重光を第１の多重光に波長変換すると共に、第１２の励起光を用いて、第１の多重光を第２の多重光に波長変換する。ＩＬＡ１００は、第１２の波長変換器８０Ｄと第１３の波長変換器８０Ｅとの間に配置し、第１の多重光を光増幅するプレアンプ１０１及びポストアンプ１０２と、設定波長の信号光を透過するＷＳＳ１０３とを有する中継装置である。第１３の波長変換器８０Ｅは、第１３の励起光を用いて、第１の多重光を第２の多重光に波長変換すると共に、第１３の励起光を用いて、第２の多重光を第１の多重光に波長変換する。第１４の波長変換器８０Ｆは、第１４の励起光を用いて、第２の多重光を第１の多重光に波長変換すると共に、第１４の励起光を用いて、第１の多重光を第２の多重光に波長変換する。
【００９７】
第２のＲＯＡＤＭ９０Ｂは、プレアンプ９１と、ＭＵＸ−ＤＥＭＵＸ９２と、ポストアンプ９３とを有する。ＭＵＸ−ＤＥＭＵＸ９２は、複数の第２の送受信器６０Ｂと接続し、各第２の送受信器６０ＢからのＣ帯の信号光を第１の多重光として多重出力すると共に、第１の多重光をＣ帯の信号光に分離出力する。ＭＵＸ−ＤＥＭＵＸ９２は、多重化後のＣ帯の第１の多重光を第１４の波長変換器８０Ｆに出力する。また、ＭＵＸ−ＤＥＭＵＸ９２は、内部のＷＳＳで、例えば、第１４の波長変換器８０Ｆから受信した８８チャネルの全波長の内、任意の１波長が選択する。尚、内部のＷＳＳは、受信する信号光に合せて受信可能な信号光の透過帯域を調整するため、受信光の波長がチャネルグリッドの波長を大きく超えた場合でも、受信光の波長を漏れなく波長選択できる。そして、ＭＵＸ−ＤＥＭＵＸ９２は、選択された波長を、例えば、１６チャネルの複数の波長に合波し、合波した信号光を各第２の送受信器６０Ｂに送信する。第２の送受信器６０Ｂは、自分宛の信号光波長の局発光を用いて、ＭＵＸ−ＤＥＭＵＸ９２から受信した信号光から自分宛の信号光を受信する。
【００９８】
第１のＲＯＡＤＭ９０Ａは、各第１の送受信器６０ＡからのＣ帯の信号光を多重化して第１の多重光を第１１の波長変換器８０Ｃに出力する。第１１の波長変換器８０Ｃは、第１１の励起光を用いて、第１の多重光をＬ帯の第２の多重光に波長変換し、波長変換後の第２の多重光を第１のスパン３Ｃに出力する。第１２の波長変換器８０Ｄは、第１のスパン３ＣからＬ帯の第２の多重光を受信し、第１２の励起光を用いて、第２の多重光をＣ帯の第１の多重光に波長変換し、波長変換後のＣ帯の第１の多重光をＩＬＡ１００に出力する。ＩＬＡ１００は、第１２の波長変換器８０Ｄからの第１の多重光を光増幅し、光増幅後の第１の多重光を第１３の波長変換器８０Ｅに出力する。
【００９９】
第１３の波長変換器８０Ｅは、第１３の励起光を用いて、第１の多重光を第２の多重光に波長変換し、波長変換後の第２の多重光を第２のスパン３Ｄに出力する。第１４の波長変換器８０Ｆは、第２のスパン３ＤからＬ帯の第２の多重光を受信し、第１４の励起光を用いて、第２の多重光を第１の多重光に波長変換し、波長変換後の第１の多重光を第２のＲＯＡＤＭ９０Ｂに出力する。第２のＲＯＡＤＭ９０Ｂは、第１４の波長変換器８０Ｆにて変換後の第１の多重光を任意のＣ帯の信号光に分離し、分離した複数チャネル分のＣ帯の信号光を合波して該当の各第２の送受信器６０Ｂに出力する。第２の送受信器６０Ｂは、自分宛の信号光波長の局発光を用いて、ＭＵＸ−ＤＥＭＵＸ９２から受信した信号光から自分宛の信号光を受信する。
【０１００】
ＳＤＮコントローラ４内の取得部３１は、第１の送受信器６０Ａからの送信光波長λｓ１１、第１１の波長変換器８０Ｃからの第１１の励起光波長λｐ１１、第１２の波長変換器８０Ｄからの第１２の励起光波長λｐ１２を取得する。更に、取得部３１は、第１３の波長変換器８０Ｅからの第１３の励起光波長λｐ１３、第１４の波長変換器８０Ｆからの第１４の励起光波長λｐ１４を取得する。算出部３２は、送信光波長λｓ１１、第１１の励起光波長λｐ１１及び第１２の励起光波長λｐ１２に基づき、２（λｐ１２−λｐ１１）＋λｓ１１の数式で、ＩＬＡ１００内のＷＳＳ１０３を透過する透過波長を算出する。更に、算出部３２は、２（λｐ１４−λｐ１３+λｐ１２−λｐ１１）＋λｓ１１の数式で、第２のＲＯＡＤＭ９０Ｂ内のＭＵＸ−ＤＥＭＵＸ９２の透過波長及び受信側の第２の送受信器６０Ｂの受信光波長λｓ１２を算出する。
【０１０１】
通知部３３は、２（λｐ１２−λｐ１１）＋λｓ１１の数式で算出した第１の透過波長をＩＬＡ１００内のＷＳＳ１０３に通知する。ＩＬＡ１００は、受信した第１の透過波長をＷＳＳ１０３に設定する。更に、通知部３３は、２（λｐ１４−λｐ１３+λｐ１２−λｐ１１）＋λｓ１１の数式で算出した受信光波長λｓ１２を第２のＲＯＡＤＭ９０Ｂ及び該当の第２の送受信器６０Ｂに通知する。第２のＲＯＡＤＭ９０Ｂは、受信光波長λｓ１２を透過波長としてＭＵＸ−ＤＥＭＵＸ９２に設定する。更に、第２の送受信器６０Ｂは、受信光波長λｓ１２を局発光波長として光源６１に設定する。
【０１０２】
実施例９のＳＤＮコントローラ４は、第１のＲＯＡＤＭ９０Ａと第２のＲＯＡＤＭ９０Ｂとの間にＩＬＡ１００を配置した場合でも、２（λｐ１２−λｐ１１）＋λｓ１１の数式で、ＩＬＡ１００内のＷＳＳ１０３を透過する透過波長を算出する。更に、ＳＤＮコントローラ４は、２（λｐ１４−λｐ１３+λｐ１２−λｐ１１）＋λｓ１１の数式で、第２のＲＯＡＤＭ９０Ｂ内のＭＵＸ−ＤＥＭＵＸ９２の透過波長及び受信側の第２の送受信器６０Ｂの受信光波長λｓ１２を算出する。ＳＤＮコントローラ４は、２（λｐ１２−λｐ１１）＋λｓ１１の数式で算出した透過波長をＩＬＡ１００内のＷＳＳ１０３に設定する。更に、ＳＤＮコントローラ４は、２（λｐ１４−λｐ１３+λｐ１２−λｐ１１）＋λｓ１１の数式で算出した受信光波長λｓ１２を第２のＲＯＡＤＭ９０Ｂ内のＭＵＸ−ＤＥＭＵＸ９２の透過波長及び受信側の第２の送受信器６０Ｂの局発光波長に設定する。その結果、第１の送受信器６０Ａと第２の送受信器６Ｂとの間にＩＬＡ１００を配置した場合でも、受信品質の劣化を抑制できる。
【０１０３】
尚、実施例９のＷＤＭシステム１Ｈでは、ＩＬＡ１００の入力段に第１２の波長変換器８０Ｄ、ＩＬＡ１００の出力段に第１３の波長変換器８０Ｅを配置し、ＩＬＡ１００内のアンプでＣ帯の第１の多重光を光増幅した。しかしながら、ＩＬＡ１００内のアンプがＣ帯の第１の多重光及びＬ帯の第２の多重光を光増幅する機能を有する場合、第１２の波長変換器８０Ｄ及び第１３の波長変換器８０Ｅを配置しなくても良く、適宜変更可能である。
【０１０４】
尚、説明の便宜上、第１１の波長変換器８０Ｃは、波長変換後のＬ帯の第２の多重光を第１のスパン３Ｃに出力したが、Ｌ帯の第２の多重光とＣ帯の第１の多重光と合波して第１のスパン３Ｃに出力しても良い。この場合、第１１の波長変換器８０Ｃは、第１のスパン３Ｃから第１の多重光及び第２の多重光を分波し、分波した第２の多重光を第１の多重光に波長変換し、波長変換後の第１の多重光及び分波した第１の多重光を出力する。第１２の波長変換器８０Ｄは、波長変換後のＬ帯の第２の多重光を第１のスパン３Ｃに出力したが、Ｌ帯の第２の多重光とＣ帯の第１の多重光と合波して第１のスパン３Ｃに出力しても良い。この場合、第１２の波長変換器８０Ｄは、第１のスパン３Ｃから第１の多重光及び第２の多重光を分波し、分波した第２の多重光を第１の多重光に波長変換し、波長変換後の第１の多重光及び分波した第１の多重光をＩＬＡ１００に出力する。
【０１０５】
第１３の波長変換器８０Ｅは、波長変換後のＬ帯の第２の多重光を第２のスパン３Ｄに出力したが、Ｌ帯の第２の多重光とＣ帯の第１の多重光と合波して第２のスパン３Ｄに出力しても良い。この場合、第１３の波長変換器８０Ｅは、第２のスパン３Ｄから第１の多重光及び第２の多重光を分波し、分波した第２の多重光を第１の多重光に波長変換し、波長変換後の第１の多重光及び分波した第１の多重光をＩＬＡ１００に出力する。第１４の波長変換器８０Ｆは、波長変換後のＬ帯の第２の多重光を第２のスパン３Ｄに出力したが、Ｌ帯の第２の多重光とＣ帯の第１の多重光と合波して第２のスパン３Ｄに出力しても良い。この場合、第１４の波長変換器８０Ｆは、第２のスパン３Ｄから第１の多重光及び第２の多重光を分波し、分波した第２の多重光を第１の多重光に波長変換し、波長変換後の第１の多重光及び分波した第１の多重光を出力する。
【０１０６】
実施例９のＷＤＭシステム１Ｈでは、第１のＲＯＡＤＭ９０Ａと第２のＲＯＡＤＭ９０Ｂとの間にＩＬＡ１００を配置したが、ＩＬＡ１００の代わりに第３のＲＯＡＤＭ９０Ｃを配置しても良く、その実施の形態につき、実施例１０として以下に説明する。
【実施例１０】
【０１０７】
図２２は、実施例１０のＷＤＭシステム１Ｊの一例を示す説明図である。尚、実施例９のＷＤＭシステム１Ｈと同一の構成には同一符号を付すことで、その重複する構成及び動作の説明については省略する。実施例１０のＷＤＭシステム１Ｊと実施例９のＷＤＭシステム１Ｈとが異なるところは、ＩＬＡ１００の代わりに第３のＲＯＡＤＭ９０Ｃを配置した点にある。
【０１０８】
図２２に示す第３のＲＯＡＤＭ９０Ｃは、プレアンプ９１と、ＭＵＸ−ＤＥＭＵＸ９２と、ポストアンプ９３とを有する。プレアンプ９１及びポストアンプ９３は、Ｃ帯の第１の多重光を光増幅する。プレアンプ９１は、第１２の波長変換器８０Ｄからの波長変換後の第１の多重光を光増幅し、光増幅後の第１の多重光をＭＵＸ−ＤＥＭＵＸ９２に出力する。ＭＵＸ−ＤＥＭＵＸ９２は、複数の第３の送受信器６０Ｃと接続し、透過波長に基づき、複数の第３の送受信器６０Ｃの内、該当の第３の送受信器６０Ｃに信号光を出力する。尚、透過波長は、第３の送受信器６０Ｃが受信する信号光の波長とする。
【０１０９】
ＭＵＸ−ＤＥＭＵＸ９２は、透過波長に基づき、プレアンプ９１からの光増幅後の第１の多重光を透過し、透過後の第１の多重光をポストアンプ９３に出力する。尚、透過波長は、第２の送受信器６０Ｂが受信する信号光の波長とする。ポストアンプ９３は、第１の多重光を光増幅し、光増幅後の第１の多重光を第１３の波長変換器８０Ｅに出力する。
【０１１０】
第１３の波長変換器８０Ｅは、第１３の励起光を用いて、第１の多重光を第２の多重光に波長変換し、波長変換後の第２の多重光を第２のスパン３Ｄに出力する。第１４の波長変換器８０Ｆは、第１４の励起光を用いて、第２のスパン３Ｄからの第２の多重光を第１の多重光に波長変換し、波長変換後の第１の多重光を第２のＲＯＡＤＭ９０Ｂに出力する。第２のＲＯＡＤＭ９０Ｂ内のＭＵＸ−ＤＥＭＵＸ９２は、透過波長に基づき、波長変換後の第１の多重光を任意のＣ帯の信号光に分離し、分離した複数のチャネル分のＣ帯の信号光を合波して、該当する各第２の送受信器６０Ｂに出力する。第２の送受信器６０Ｂは、自分宛の信号光波長の局発光を用いて、ＭＵＸ−ＤＥＭＵＸ９２から受信した信号光から自分宛の信号光を受信する。
【０１１１】
ＳＤＮコントローラ４内の取得部３１は、第１の送受信器６０Ａからの送信光波長λｓ１１、第１１の波長変換器８０Ｃからの第１１の励起光波長λｐ１１、第１２の波長変換器８０Ｄからの第１２の励起光波長λｐ１２を取得する。更に、取得部３１は、第１３の波長変換器８０Ｅからの第１３の励起光波長λｐ１３、第１４の波長変換器８０Ｆからの第１４の励起光波長λｐ１４を取得する。算出部３２は、送信光波長λｓ１１、第１１の励起光波長λｐ１１及び第１２の励起光波長λｐ１２に基づき、２（λｐ１２−λｐ１１）＋λｓ１１の数式で第３のＲＯＡＤＭ９０Ｃ内のＭＵＸ−ＤＥＭＵＸ９２を透過する第１の透過波長を算出する。更に、算出部３２は、２（λｐ１４−λｐ１３+λｐ１２−λｐ１１）＋λｓ１１の数式で、第２のＲＯＡＤＭ９０Ｂ内のＭＵＸ−ＤＥＭＵＸ９２の第２の透過波長及び受信側の第２の送受信器６０Ｂの受信光波長λｓ１２を算出する。
【０１１２】
通知部３３は、２（λｐ１２−λｐ１１）＋λｓ１１の数式で算出した第１の透過波長を第３のＲＯＡＤＭ９０Ｃ内のＭＵＸ−ＤＥＭＵＸ９２に通知する。ＭＵＸ−ＤＥＭＵＸ９２は、受信した第１の透過波長を設定する。その結果、ＭＵＸ−ＤＥＭＵＸ９２は、送信光波長λｓ１１の信号光を透過する。更に、通知部３３は、２（λｐ１４−λｐ１３＋λｐ１２−λｐ１１）＋λｓ１１の数式で算出した受信光波長λｓ１２を第２のＲＯＡＤＭ９０Ｂ及び該当の第２の送受信器６０Ｂに通知する。第２のＲＯＡＤＭ９０Ｂは、受信光波長λｓ１２を透過波長としてＭＵＸ−ＤＥＭＵＸ９２に設定する。更に、第２の送受信器６０Ｂは、受信光波長λｓ１２を局発光波長として光源６１に設定する。その結果、第２の送受信器６０Ｂは、第１の送受信器６０Ａの送信光波長λｓ１１の信号光を受信する受信品質の劣化を抑制できる。
【０１１３】
また、算出部３２は、第１の送受信器６０Ａからの送信光波長λｓ２１、第１１の波長変換器８０Ｃからの第１１の励起光波長λｐ１１、第１２の波長変換器８０Ｄからの第１２の励起光波長λｐ１２を取得する。尚、第１の送受信器６０Ａの送信光波長λｓ２１は、Ｃｈ２の第３の送受信器６０Ｃの通信に使用するものとする。算出部３２は、送信光波長λｓ２１、第１１の励起光波長λｐ１１及び第１２の励起光波長λｐ１２に基づき、２（λｐ１２−λｐ１１）＋λｓ２１の数式で第３のＲＯＡＤＭ９０Ｃ内のＭＵＸ−ＤＥＭＵＸ９２を透過する第１の透過波長を算出する。更に、算出部３２は、２（λｐ１２−λｐ１１）＋λｓ２１の数式で、第３のＲＯＡＤＭ９０Ｃ内のＭＵＸ−ＤＥＭＵＸ９２の第２の透過波長及び受信側の第３の送受信器６０Ｃの受信光波長λｓ２２を算出する。
【０１１４】
通知部３３は、２（λｐ１２−λｐ１１）＋λｓ２１の数式で算出した第１の透過波長を第３のＲＯＡＤＭ９０Ｃ内のＭＵＸ−ＤＥＭＵＸ９２に通知する。ＭＵＸ−ＤＥＭＵＸ９２は、受信した第１の透過波長を設定する。その結果、ＭＵＸ−ＤＥＭＵＸ９２は、送信光波長λｓ２１の信号光を透過する。更に、通知部３３は、２（λｐ１２−λｐ１１）＋λｓ２１の数式で算出した受信光波長λｓ２２を第３のＲＯＡＤＭ９０Ｃ及び該当の第３の送受信器６０Ｃに通知する。第３のＲＯＡＤＭ９０Ｃは、受信光波長λｓ２２を透過波長としてＭＵＸ−ＤＥＭＵＸ９２に設定する。更に、第３の送受信器６０Ｃは、受信光波長λｓ２２を局発光波長として光源６１に設定する。その結果、第３の送受信器６０Ｃは、第１の送受信器６０Ａの送信光波長λｓ２１の信号光を受信する受信品質の劣化を抑制できる。
【０１１５】
尚、上記実施例１のＷＤＭシステム１では、縮退型四光波混合方式の波長変換器２０を例示したが、非縮退型四光波混合方式の波長変換器１１０を使用しても良く、その実施の形態につき、実施例１１として以下に説明する。尚、実施例１のＷＤＭシステム１と同一の構成には同一符号を付すことで、その重複する構成及び動作の説明については省略する。
【実施例１１】
【０１１６】
図２３は、非縮退型四光波混合方式の波長変換器１１０の一例を示す説明図である。図２４に示す波長変換器１１０は、入力ポート１１１と、光サーキュレータ１１２と、第１の励起光源１１３Ａと、第２の励起光源１１３Ｂと、ＷＤＭカプラ１１４と、ＰＢＳ１１５と、非線形ファイバ１１６と、出力ポート１１７とを有する。光サーキュレータ１１２は、入力ポート１１１から信号光を入力し、信号光をＰＢＳ１１５に出力する。更に、ＷＤＭカプラ１１４は、第１の励起光源１１３Ａからの第２１の励起光と、第２の励起光源１１３Ｂからの第２２の励起光とを合波し、第２１の励起光及び第２２の励起光をＰＢＳ１１５に出力する。ＰＢＳ１１５は、信号光、第２１の励起光及び第２２の励起光を偏波分離し、垂直偏波の信号光、第２１の励起光及び第２２の励起光を非線形ファイバ１１６のＸ方向に入力する。更に、ＰＢＳ１１５は、水平偏波の信号光、第２１の励起光及び第２２の励起光を非線形ファイバ１１６のＹ方向に入力する。そして、非線形ファイバ１１６は、第２１の励起光及び第２２の励起光を用いて、水平偏波の信号光を水平偏波の変換光に波長変換し、波長変換後の水平偏波の変換光をＰＢＳ１１５に出力する。非線形ファイバ１１６は、第２１の励起光及び第２２の励起光を用いて、垂直偏波の信号光を垂直偏波の変換光に波長変換し、波長変換後の垂直偏波の変換光をＰＢＳ１１５に出力する。ＰＢＳ１１５は、垂直偏波の変換光及び水平偏波の変換光を合波して変換光を光サーキュレータ１１２に出力する。光サーキュレータ１１２は、ＰＢＳ１１５からの変換光を出力ポート１１７に出力する。
【０１１７】
図２４は、信号光と変換光との関係の一例を示す説明図である。変換光は、図２４に示すように、信号光の波長を中心に±Δｖ０の波長位置に発生する。尚、Δｖ０は、第１１の励起光の周波数ｆｐ１と、第１２の励起光の周波数ｆｐ２との周波数差分である。
【０１１８】
図２５は、非線形ファイバ１１６の零分散周波数が設定環境に応じた零分散周波数と一致した場合の変換前の信号光と変換後の信号光との関係の一例を示す説明図である。変換前の信号光は、変換前の信号光の周波数から−Δｖ０の周波数に変換後の信号光（変換光）が発生する。例えば、変換前の信号光ｆ１の変換光は、ｆ１−Δｖ０の周波数に発生し、変換前の信号光ｆ２の変換光は、ｆ２−Δｖ０の周波数に発生する。例えば、非線形ファイバ１１６の零分散周波数が設定環境に応じた零分散周波数を設定している場合、図２５に示すように、変換光は、波長変換後の帯域で十分な信号パワーを確保している。つまり、非線形ファイバ１１６の零分散周波数が設定環境に応じた零分散周波数を設定している場合、信号光から変換光に波長変換する波長変換効率が高まる。
【０１１９】
図２６は、非線形ファイバ１１６の零分散周波数が設定環境に応じた零分散周波数よりも低周波数側にシフトした場合の信号光と変換光との関係の一例を示す説明図である。非線形ファイバ１１６の零分散周波数が設定環境に応じた零分散周波数よりも低周波数側にΔｆｃｄをシフトした場合、例えば、変換前の信号光ｆ１の変換光は、ｆ１−Δｖ０の周波数に発生し、変換前の信号光ｆ２の変換光は、ｆ２−Δｖ０の周波数に発生する。しかしながら、設定環境に適した零分散周波数よりも低周波数側にΔｆｃｄ分シフトしているため、図２６に示すように、変換光の高周波帯側の信号パワーが著しく低下する。
【０１２０】
図２７は、非線形ファイバ１１６の零分散周波数が設定環境に応じた零分散周波数よりも高周波数側にシフトした場合の変換前の信号光と変換後の信号光との関係の一例を示す説明図である。非線形ファイバ１１６の零分散周波数が設定環境に応じた零分散周波数よりも高周波数側にΔｆｃｄをシフトした場合、例えば、変換前の信号光ｆ１の変換光は、ｆ１−Δｖ０の周波数に発生し、変換前の信号光ｆ２の変換光は、ｆ２−Δｖ０の周波数に発生する。しかしながら、設定環境に適した零分散周波数よりも高周波数側にΔｆｃｄ分シフトしているため、図２７に示すように、変換光の低周波数帯の信号パワーが著しく低下する。
【０１２１】
図２８は、非線形ファイバ１１６の零分散周波数をシフト補正した場合の信号光と変換光との関係の一例を示す説明図である。零分散周波数を変更することなく、波長変換器１１０の励起光周波数差Δｖ０に誤差Δｆｃｄを加算して励起光周波数差を変更することで、変換光の信号パワーの劣化を抑圧できる。しかしながら、非線形ファイバ１１６の零分散周波数が設定環境に応じた零分散周波数よりも低周波数側にΔｆｃｄをシフトしたとする。この場合、例えば、変換前の信号光ｆ１の変換光は、ｆ１−（Δｖ０＋Δｆｃｄ）の周波数に発生し、変換前の信号光ｆ２の変換光は、ｆ２−（Δｖ０＋Δｆｃｄ）の周波数に発生するようにシフトする。しかしながら、励起光周波数差Δｖ０をずらすと、図２８に示すように、波長変換後の信号光（変換光）の周波数帯域が全体的にΔｆｃｄ分ずれてしまう。その結果、局発光波長と受信光波長とにズレが生じて、受信品質が劣化する。
【０１２２】
そこで、このような事態に対処すべく、非縮退型四光波混合方式の波長変換器１１０を適用したＷＤＭシステム１Ｋの実施の形態につき、実施例１１として以下に説明する。図２９は、実施例１１のＷＤＭシステム１Ｋの一例を示す説明図である。尚、図１に示すＷＤＭシステム１と同一の構成には同一符号を付すことで、その重複する構成及び動作の説明については省略する。
【０１２３】
図１に示すＷＤＭシステム１と図３０に示すＷＤＭシステム１Ｋとが異なるところは、縮退型四光波混合方式の第１の波長変換器２０Ａ及び第２の波長変換器２０Ｂの代わりに、第２１の波長変換器１１０Ａ及び第２２の波長変換器１１０Ｂを配置した点にある第２１の波長変換器１１０Ａ及び第２２の波長変換器１１０Ｂは、非縮退型四光波混合方式の波長変換器である。ＳＤＮコントローラ４は、算出部３２の代わりに第４の算出部３２Ｄを配置した。
【０１２４】
ＳＤＮコントローラ４内の取得部３１は、情報通信部４Ａを通じて、第２の送信群１０Ｂ内の各送信器１１から送信光波長λｓ１を取得する。取得部３１は、情報通信部４Ａを通じて、第２１の波長変換器１１０Ａから第１の励起光差分量Δｖ１を取得する。尚、第１の励起光差分量Δｖ１は、第２１の波長変換器１１０Ａ内の第１の励起光源１１３Ａの第１１の励起光と第２の励起光源１１３Ｂの第１２の励起光との差分である。取得部３１は、情報通信部４Ａを通じて、第２２の波長変換器１１０Ｂから第２の励起光差分量Δｖ２を取得する。尚、第２の励起光差分量Δｖ２は、第２２の波長変換器１１０Ｂ内の第１の励起光源１１３Ａの第１１の励起光と第２の励起光源１１３Ｂの第１２の励起光との差分である。
【０１２５】
ＳＤＮコントローラ４内の第４の算出部３２Ｄは、送信光波長λｓ１、第１の励起光差分量Δｖ１及び第２の励起光差分量Δｖ２に基づき、（Δｖ２−Δｖ１）＋λｓ１の数式で、受信光波長λｓ２を算出する。ＳＤＮコントローラ４内の通知部３３は、情報通信部４Ａを通じて、算出した受信光波長λｓ２を該当の受信器５３に通知する。送信光波長λｓ１の送信器１１と通信する受信器５３内の受信側ＣＰＵ５３Ｄは、受信光波長λｓ２を局発光波長として設定する。
【０１２６】
次に実施例１１のＷＤＭシステム１Ｋの動作について説明する。図３０は、第６の設定処理に関わるＳＤＮコントローラ４内のＣＰＵ４Ｃの処理動作の一例を示すフロー図である。図３０において取得部３１は、情報通信部４Ａを通じて第２の送信群１０Ｂ内の各送信器１１から送信器１１毎の送信光波長λｓ１を取得する（ステップＳ１１）。尚、送信光波長λｓ１は、第２の送信群１０Ｂ内の送信器１１毎に異なる送信光の波長である。取得部３１は、情報通信部４Ａを通じて、第２１の波長変換器１１０Ａから第１の励起光差分量Δｖ１を取得する（ステップＳ１２Ｂ）。取得部３１は、情報通信部４Ａを通じて、第２２の波長変換器１１０Ｂから第２の励起光差分量Δｖ２を取得する（ステップＳ１３Ｂ）。第４の算出部３２Ｄは、（Δｖ２−Δｖ１）＋λｓ１の数式で、送信器１１に対応した受信器５３の受信光波長λｓ２を算出する（ステップＳ１４Ｂ）。通知部３３は、情報通信部４Ａを通じて、受信器５３毎に算出した受信光波長λｓ２を局発光波長として該当受信器５３に通知し（ステップＳ１５）、図３０に示す処理動作を終了する。
【０１２７】
各受信器５３は、ＳＤＮコントローラ４から受信光波長λｓ２を受信し、受信光波長λｓ２を局発光波長として局発光源５３Ａに設定する。その結果、受信器５３は、局発光波長と受信光波長との間のズレがなくなるため、受信品質の劣化を抑制できる。
【０１２８】
実施例１１のＳＤＮコントローラ４は、第２の送信群１０Ｂ内の送信器１１毎の送信光波長λｓ１、第２１の波長変換器１１０Ａの第１の励起光差分量Δｖ１及び第２２の波長変換器１１０Ｂの第２の励起光差分量Δｖ２を取得する。ＳＤＮコントローラ４は、２（Δｖ２−Δｖ１）＋λｓ１の数式で、第２の受信群５０Ｂ内の受信器５３毎の受信光波長λｓ２を算出し、受信光波長λｓ２を各受信器５３に通知する。その結果、受信器５３は、非縮退型四光波混合方式の波長変換器を使用した場合でも、受信した受信光波長λｓ２に局発光波長を設定するため、受信品質の劣化を抑制できる。
【０１２９】
取得部３１は、第２１の波長変換器１１０Ａから第１の励起光差分量Δｖ１及び第２２の波長変換器１１０Ｂから第２の励起光差分量Δｖ２を取得した。しかしながら、取得部３１は、第２１の波長変換器１１０Ａから第１の励起光源１１３Ａの励起光波長及び第２の励起光源１１３Ｂの励起光波長を取得しても良く。この場合、第４の算出部３２Ｄは、第１の励起光源１１３Ａの励起光波長及び第２の励起光源１１３Ｂの励起光波長で、第１の励起光差分量Δｖ１及び第２の励起光差分量Δｖ２を算出しても良く、適宜変更可能である。
【０１３０】
尚、第４の算出部３２Ｄは、（Δｖ２−Δｖ１）＋λｓ１の数式で、第２の受信群５０Ｂ内の受信器５３毎の受信光波長λｓ２を算出したが、受信器５３自体が受信光波長λｓ２を算出しても良く、適宜変更可能である。
【０１３１】
また、実施例１１のＷＤＭシステム１Ｋでは、第１の伝送装置２Ａと、第２の伝送装置２Ｂとの間の伝送路ファイバ３が１スパンの場合を例示したが、複数のＮスパンの場合にも適用可能である。２×Σ[(スパンＮの第２２の波長変換器１１０Ｂの第２の励起光差分量Δｖ２)−(スパンＮの第２１の波長変換器１１０Ａの第１の励起光差分量Δｖ１)]＋(送信光波長λｓ１)の数式で、Ｎスパンの場合でも、受信器５３の受信光波長λｓ２を算出できる。
【０１３２】
尚、上記実施例１のＷＤＭシステム１では、縮退型四光波混合方式の波長変換器を採用した。波長変換器では、例えば、四光波混合（ＦＷＭ：Four-Wave  Mixing）の非線形光学現象を利用している。図３１は、波長変換器２００の一例を示す説明図である。図３１に示す波長変換器２００は、縮退型四光波混合方式の波長変換器である。波長変換器２００は、入力ポート２０１と、励起光源２０２と、ＷＤＭカプラ２０３と、光サーキュレータ２０４と、偏波ビームスプリッタ（ＰＢＳ：Polarizing  Beam  Splitter）２０５とを有する。波長変換器２００は、非線形ファイバ２０６と、光ＢＰＦ（Band  Pass  Filter）２０７と、出力ポート２０８とを有する。尚、例えば、Ｃ帯の多重光をＬ帯の多重光に波長変換する波長変換器２００の場合、波長変換前のＣ帯の多重光が信号光、波長変換後のＬ帯の多重光が変換光となる。
【０１３３】
入力ポート２０１は、信号光を入力するポートである。励起光源２０２は、励起光を出力するＬＤ（Laser  Diode）である。ＷＤＭカプラ２０３は、入力ポート２０１からの信号光と、励起光源２０２からの励起光とを合波する。光サーキュレータ２０４は、ＷＤＭカプラ２０３からの信号光及び励起光をＰＢＳ２０５に出力すると共に、ＰＢＳ２０５からの波長変換後の変換光、信号光及び励起光を光ＢＰＦ２０７に出力する。ＰＢＳ２０５は、波長変換前の信号光及び励起光を、垂直偏波の信号光及び励起光と、水平偏波の信号光及び励起光とに偏波分離する。ＰＢＳ２０５は、垂直偏波の信号光及び励起光を非線形ファイバ２０６のＸ方向から入力すると共に、水平偏波の信号光及び励起光を非線形ファイバ２０６のＹ方向から入力する。
【０１３４】
非線形ファイバ２０６は、水平偏波の励起光と水平偏波の信号光との四光波混合を用いて、水平偏波の信号光を保持しながら、水平偏波の信号光を水平偏波の変換光に波長変換する。そして、非線形ファイバ２０６は、水平偏波の変換光、信号光及び励起光をＰＢＳ２０５に出力する。また、非線形ファイバ２０６は、垂直偏波の励起光と垂直偏波の信号光との四光波混合を用いて、垂直偏波の信号光を保持しながら、垂直偏波の信号光を垂直偏波の変換光に波長変換する。そして、非線形ファイバ２０６は、垂直偏波の変換光、信号光及び励起光をＰＢＳ２０５に出力する。
【０１３５】
ＰＢＳ２０５は、垂直偏波の変換光、励起光及び信号光と、水平偏波の変換光、励起光及び信号光とを合波して波長変換後の変換光、信号光及び励起光を光サーキュレータ２０４に出力する。光サーキュレータ２０４は、波長変換後の変換光、信号光及び励起光を光ＢＰＦ２０７に出力する。光ＢＰＦ２０７は、波長変換後の変換光、信号光及び励起光から変換光のみを抽出し、抽出した変換光を出力ポート２０８に出力する。つまり、波長変換器２００は、例えば、Ｃ帯の多重光をＬ帯の多重光に波長変換できたことになる。
【０１３６】
波長変換器２００では、波長変換前の信号光のパワーに対する波長変換後の信号光（変換光）のパワーの効率、すなわち波長変換効率を高めるために、非線形ファイバ２０６の零分散波長と励起光波長とを一致させることが重要となる。図３２は、非線形ファイバ２０６の零分散波長と励起光波長とが一致した場合の信号光と変換光との関係の一例を示す説明図である。励起光波長が、非線形ファイバ２０６の零分散波長と一致する場合、図３２に示すように信号光から変換光に波長変換する波長変換効率が高くなる。
【０１３７】
図３３は、非線形ファイバ２０６の零分散波長と励起光波長とが不一致の場合の信号光と変換光との関係の一例を示す説明図である。非線形ファイバ２０６は、例えば、製造誤差や温度変動等に応じて零分散波長が変動する。そして、零分散波長が変動した場合、零分散波長と励起光波長との間に波長ズレが生じる。零分散波長と励起光波長との間に波長ズレが生じた場合、図３３に示すように、波長変換後の信号光（変換光）のパワーの低下や同一波長帯の変換光間でチルト（傾き）が発生する。その結果、変換光のパワー低下や変換光間のチルトは、変換光を受信する受信器の入力パワーの低下や、受信側光増幅器のＡＳＥ雑音量が増加して受信品質の劣化が生じる。
【０１３８】
そこで、非線形ファイバ２０６の零分散波長のズレを補正するために、波長変換器２００の励起光波長が非線形ファイバ２０６の零分散波長に一致するように励起光波長をシフトし、波長変換後の信号パワーの劣化を抑圧する方法が考えられる。図３４は、励起光波長シフト後の信号光と変換光との関係の一例を示す説明図である。本方法では、励起光波長のシフトは、波長変換後の信号光の帯域全体のシフトに繋がるため、図３４に示すように、波長変換後の信号光の一部の帯域、例えば低波長帯でパワーが著しく低下してしまう。その結果、受信器側では、受信光の波長がどの程度ずれているのかが認識できないため、変換光を受信光として受信する受信器の局発光波長と受信光波長との間のズレで受信品質が著しく劣化する。
【０１３９】
しかしながら、実施例１のＷＤＭシステム１では、受信光波長と一致するように受信器５３の局発光の波長を補正するため、波長変換器２０内の非線形ファイバの零分散波長のズレに起因する信号パワーの低下及び信号波長のズレの影響による受信品質の劣化を抑制できる。
【０１４０】
尚、本実施例の波長変換器２０は、零分散波長テーブルを参照し、現在の内部温度に応じて零分散波長の励起光波長を設定したが、これに限定されるものではなく、信号光パワーを監視し、信号パワーが最適になるように励起光波長を調整しても良い。
【０１４１】
ＳＤＮコントローラ４は、送信光波長λｓ１、第１の励起光波長λｐ１及び第２の励起光波長λｐ２で受信光波長である受信光波長λｓ２を算出し、受信光波長λｓ２と一致するように局発光の波長をシフトした。しかしながら、局発光波長の代わりに送信光の波長をシフトしても良い。また、受信光と局発光とが一致するように、送信光と局発光との両方向をシフトしても良い。
【０１４２】
送受信器の信号光と局発光との光源を共通化し、双方向で共通の励起波長を使用する双方向波長変換器を適用した場合、受信光と局発光との波長を一致させることができる。
【０１４３】
ＲＯＡＤＭをパススルーとした場合でも、波長変換器を通過する段数が増える。この場合も、前述した本発明の解決手段と同じ考え方で、受信信号の波長を計算すれば良い。
【０１４４】
尚、Ｃ帯及びＬ帯の光増幅器１３ではＥＤＦＡ、Ｓ帯の光増幅器１３ではツリウム添加ファイバ増幅器を使用した場合を例示した。しかしながら、Ｏ帯の光増幅器ではプラセオジム添加ファイバ増幅器等を使用しても良く、適宜変更可能である。また、Ｅ帯やＵ帯の光増幅器では、例えば、半導体光増幅器やラマン増幅器を使用しても良く、適宜変更可能である。
【０１４５】
また、本実施例では、例えば、Ｃ帯の第１の多重光をＬ帯の第２の多重光に波長変換する波長変換器を例示した。しかしながら、多重光に限定されるものではなく、Ｃ帯の信号光をＬ帯の変換光に波長変換する波長変換器に適用しても良く、適宜変更可能である。尚、説明の便宜上、Ｃ帯を基準にしたが、Ｓ帯からＬ帯へ、Ｌ帯からＳ帯へのＳ帯とＬ帯との相互間で波長変換する場合の伝送システムに適用しても良く、適宜変更可能である。
【０１４６】
上記実施例の第１の伝送装置２Ａでは、波長変換器２０に使用する励起光を同一装置内の他の波長変換器２０に再利用しても良い。更に、光増幅器等の光部品に使用する励起光を同一装置内の波長変換器や他の光部品に使用しても良く、適宜変更可能である。
【０１４７】
波長変換器２０は、多重光と励起光とを非線形ファイバに伝搬させることで多重光を任意の波長帯域に変換するが、ＦＭ変調（またはＰＭ変調）の励起光を用いても良い。
【０１４８】
上記実施例では、Ｃ帯の光部品を使用し、Ｃ帯の多重光をＳ帯やＬ帯に波長変換して伝送路ファイバ３に伝送するシステムを例示した。しかしながら、Ｓ帯の光部品を使用し、Ｓ帯の多重光をＣ帯やＬ帯に波長変換して伝送路ファイバ３に伝送するシステムや、Ｌ帯の光部品を使用し、Ｌ帯の多重光をＣ帯やＳ帯に波長変換して伝送路ファイバ３に伝送するシステムにも適用可能である。
【０１４９】
上記実施例では、Ｃ帯、Ｓ帯及びＬ帯の波長範囲を定義したが、この波長範囲に限定されるものではなく、その範囲を適宜設定変更可能である。更に、上記実施例では、Ｃ帯、Ｓ帯及びＬ帯を使用する場合を例示したが、Ｃ帯、Ｓ帯及びＬ帯に限定されるものではない。例えば、Ｏ帯、Ｅ帯やＵ帯に適用しても良く、適宜変更可能である。
【０１５０】
また、例えば、伝送装置２Ａ（２Ｂ）は、送信部又は受信部を内蔵した場合を例示したが、送信部又は受信部と外部接続した場合にも本願発明は適用可能である。
【０１５１】
例えば、ＳＤＮコントローラ４は、送信光波長λｓ１、第１の励起光波長λｐ１及び第２の励起光波長λｐ２で受信光波長である受信光波長λｓ２を算出し、算出した受信光波長λｓ２に基づき、局発光波長を決定する場合を例示した。しかしながら、例えば、第２の伝送装置２Ｂが、第１の伝送装置２Ａ内の送信器１１から送信光波長λｓ１、第１の波長変換器２０Ａから第１の励起光波長λｐ１、第２の波長変換器２０Ｂから第２の励起光波長λｐ２を取得する。そして、第２の伝送装置２Ｂは、送信光波長λｓ１、第１の励起光波長λｐ１及び第２の励起光波長λｐ２から受信光波長λｓ２を算出し、算出した受信光波長λｓ２に基づき、局発光波長を決定しても良く、適宜変更可能である。また、受信器５３が、送信光波長λｓ１、第１の励起光波長λｐ１及び第２の励起光波長λｐ２を取得し、取得した送信光波長λｓ１、第１の励起光波長λｐ１及び第２の励起光波長λｐ２から受信光波長λｓ２を算出する。そして、受信器５３が、算出した受信光波長λｓ２に基づき、局発光波長を決定しても良く、適宜変更可能である。
【０１５２】
ＳＤＮコントローラ４は、第１の励起光波長λｐ１と、第２の励起光波長λｐ２との差分が小さくなるように、第２の波長変換器２０Ｂ内の第２の励起光の波長を制御しても良く、適宜変更可能である。
【０１５３】
尚、説明の便宜上、実施の形態では、波長と波長とが同一若しくは一致させるとの記載を使用したが、同一若しくは一致させることに限定されるものではなく、波長と波長との差分が小さくなるのであれば良く、適宜変更可能である。
【０１５４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【０１５５】
１  ＷＤＭシステム
１０Ｂ  第２の送信群
１１  送信器
２０  波長変換器
２０Ａ  第１の波長変換器
２０Ｂ  第２の波長変換器
３１  取得部
３２  算出部
３２Ａ  第１の算出部
３２Ｄ  第４の算出部
３３  通知部
５０  第２の受信群
５２Ａ  第２のＷＳＳ
５３  受信器
５３Ｆ  第２の算出部
１１０Ａ  第２１の波長変換器
１１０Ｂ  第２２の波長変換器
【図１】
2019220773.tif 000003
【図２】
2019220773.tif 000004
【図３】
2019220773.tif 000005
【図４】
2019220773.tif 000006
【図５Ａ】
2019220773.tif 000007
【図５Ｂ】
2019220773.tif 000008
【図６】
2019220773.tif 000009
【図７】
2019220773.tif 000010
【図８】
2019220773.tif 000011
【図９】
2019220773.tif 000012
【図１０】
2019220773.tif 000013
【図１１】
2019220773.tif 000014
【図１２】
2019220773.tif 000015
【図１３】
2019220773.tif 000016
【図１４】
2019220773.tif 000017
【図１５】
2019220773.tif 000018
【図１６】
2019220773.tif 000019
【図１７】
2019220773.tif 000020
【図１８】
2019220773.tif 000021
【図１９】
2019220773.tif 000022
【図２０】
2019220773.tif 000023
【図２１】
2019220773.tif 000024
【図２２】
2019220773.tif 000025
【図２３】
2019220773.tif 000026
【図２４】
2019220773.tif 000027
【図２５】
2019220773.tif 000028
【図２６】
2019220773.tif 000029
【図２７】
2019220773.tif 000030
【図２８】
2019220773.tif 000031
【図２９】
2019220773.tif 000032
【図３０】
2019220773.tif 000033
【図３１】
2019220773.tif 000034
【図３２】
2019220773.tif 000035
【図３３】
2019220773.tif 000036
【図３４】
2019220773.tif 000037